(57)【要約】  【課題】  操作者が所望する処理の実行を指示する操作を、ステアリング上に目を落とさなくても操作可能な操作装置を提供する。【解決手段】  指で操作して傾動可能な第１スイッチ１１がステアリング１に取り付けられている。そして、この第１スイッチ１１が操作されて傾けられて、操作前の選択エリア１１ａ〜１１ｉとは異なる他の選択エリア１１ａ〜１１ｉに移動するとき、スイッチを介して指に反力が伝えられるので、操作者は、選択エリア１１ａ〜１１ｉが移るごとに、反力を感じる。そのため、操作者は、この反力を頼りに、ステアリング１上に目を落とさなくても、所望の処理の実行を指示するための選択エリア１１ａ〜１１ｉに、第１スイッチ１１を傾けて操作者が所望する処理の実行を指示する操作をすることができる。【選択図】図１
2009078718.tif 000002
【特許請求の範囲】
【請求項１】
ステアリングに取り付けられ、指で操作して傾動可能なスイッチと、
前記スイッチの傾斜位置を検出する位置検出手段と、
前記スイッチの可動エリアを分割した複数の選択エリア、及び、これら選択エリアの境界線の位置を記憶する記憶手段と、
前記スイッチが傾斜して前記境界線を通過するとき、前記スイッチを操作している指に反力を伝える反力伝達手段と、
前記スイッチが位置する前記選択エリアに対応する処理の実行を少なくとも指示する指示手段と
を備えることを特徴とする操作装置。
【請求項２】
請求項１に記載の操作装置において、
前記反力伝達手段は、
前記スイッチが傾斜して前記境界線を通過するとき、前記スイッチを引き込むことを特徴とする操作装置。
【請求項３】
請求項１，２のいずれかに記載の操作装置において、
前記スイッチは、押下可能に構成され、
前記スイッチの押下を検出する押下検出手段と、
前記指示手段は、
押下された前記スイッチが位置する前記選択エリアに対応する処理の実行を指示可能であることを特徴とする操作装置。
【請求項４】
請求項３に記載の操作装置において、
前記スイッチが押下された状態で、前記境界線を交差して移動したか否かを判定する判定手段を備え、
前記指示手段は、
前記境界線を交差して移動したと判定されたとき、前記スイッチが移動の前後に位置した前記選択エリアに対応する２つの処理を同時に実行することを指示可能であることを特徴とする操作装置。
【請求項５】
請求項１〜４のいずれかに記載の操作装置において、
前記スイッチの操作回数あるいは操作ミスの回数に応じて操作の熟練度を判定する熟練度判定手段と、
この熟練度判定手段による判定の結果、操作の熟練度が低いと判定された場合、前記指示手段が指示可能な一部の指示を制限する制限手段と
を備えることを特徴とする操作装置。
【請求項６】
請求項５に記載の操作装置において、
前記熟練度判定手段は、
前記スイッチが操作された操作回数を計数する計数手段を備え、
この計数手段による計数結果が、予め定められた操作回数以下の場合、操作の熟練度が低いと判定することを特徴とする操作装置。
【請求項７】
請求項５に記載の操作装置において、
前記熟練度判定手段は、
前記スイッチが最後に位置する前記選択エリアである終点エリアに到達するまでに、移動を開始した前記選択エリアである始点エリア及び前記終点エリア以外の前記選択エリアを通過する通過操作、がなされる確率を計数する通過確率判定手段を備え、
前記確率が高い場合、操作の熟練度が低いと判定することを特徴とする操作装置。
【請求項８】
請求項５〜７のいずれかに記載の操作装置において、
前記指示手段で指示された内容を音声で報知する報知手段と、
前記熟練度が、予め定められた熟練度よりも高い場合、前記報知手段による音声での報知を停止する報知停止手段と、
を備えることを特徴とする操作装置。
【請求項９】
請求項１〜８のいずれかに記載の操作装置において、
車両の走行条件を検出する検出手段と、
検出された前記走行条件が、前記スイッチの操作に適しないとして予め定められた操作条件に一致するか判定する条件判定手段と、
前記走行条件が、前記走行条件に一致する場合、前記スイッチの操作を不能にする規制手段と、
を備えることを特徴とする操作装置。
【請求項１０】
車両の機能を選択する第１操作装置と、
前記第１操作装置で選択された機能を操作する第２操作装置と
を備えるステアリングであって、
第１操作装置として、請求項１〜１０のいずれかに記載された操作装置を用いたことを特徴とするステアリング。
【発明の詳細な説明】
【技術分野】
【０００１】
本発明は、ステアリングに取り付けられた操作装置に関する。
【背景技術】
【０００２】
従来より、ステアリングには、車両のさまざまな機能（エアコン、オーディオその他）を操作するための操作装置が設けられている。
例えば、特許文献１には、２つのタッチスクリーンで構成された操作装置が記載されている。
【０００３】
この操作装置では、各タッチスクリーンに複数のスイッチの画像が表示され、一方のタッチスクリーンには機能選択用の複数のスイッチの画像が、他方のタッチスクリーンには操作選択用の複数のスイッチの画像が表示されている。
【０００４】
この操作装置を用いて、選択可能な機能の一つであるエアコンを操作する場合、まず、一方のタッチスクリーン上に表示されたエアコン選択用のスイッチが表示された部分を押下する。すると、他方のタッチスクリーンでは、温度を変更する操作が可能となる。
【０００５】
そして、温度を下げたい場合、他方のタッチスクリーン上に表示された温度下降用のスイッチが表示された部分を押下する。すると、押下指示された温度まで温度を下げて運転する制御がエアコンに対して実行される。
【０００６】
また、例えば、特許文献２には、ステアリングの左右に複数の機能スイッチ及び操作スイッチで構成された操作装置が記載されている。
この操作装置を用いて車両のエアコンを操作する場合、まず、複数の機能スイッチのうち、エアコンの機能スイッチを操作する。すると、操作スイッチでは、温度を変更する操作が有効となる。
【０００７】
そして、温度を下げたい場合、複数の操作スイッチのうち、温度をさげるスイッチを操作する。すると、押下指示された温度まで温度を下げて運転する制御がエアコンに対して実行される。
【特許文献１】特開２００５−１３２３４１号公報
【特許文献２】特表平１１−５１３６２７号公報
【発明の開示】
【発明が解決しようとする課題】
【０００８】
しかし、特許文献１に記載された操作装置では、操作したいスイッチがタッチスクリーンのどこに表示されているのか、タッチスクリーン、すなわち、ステアリング上を見ないと分からなかった。
【０００９】
また、特許文献２に記載された操作装置でも、スイッチが複数あるため、操作したいスイッチがどこに配置されているのか、ステアリング上を見ないと分からなかった。
そのため、いずれの操作装置でも、ステアリング上に一度目を落とさないと操作できないという問題があった。
【００１０】
そこで本発明では、上述した問題点を解決し、操作者が所望する処理の実行を指示する操作を、ステアリング上に目を落とさなくても操作可能な操作装置を提供することを目的とする。
【課題を解決するための手段】
【００１１】
上述した問題を解決するためになされた発明である操作装置では、指で操作して傾動可能なスイッチがステアリングに取り付けられている。そして、このスイッチの傾斜位置を位置検出手段が検出している。
【００１２】
また、この操作装置では、スイッチの可動エリアを分割した複数の選択エリア、及び、これら選択エリアの境界線の位置が記憶手段に記憶されている。
そして、この操作装置では、スイッチが傾斜して境界線を通過するとき、スイッチを操作している指に反力伝達手段が反力を伝えている。
【００１３】
また、指示手段が、スイッチが位置する選択エリアに対応する処理の実行を少なくとも指示している。
この操作装置では、１つのスイッチを用いている。
【００１４】
そして、この操作装置では、この一つのスイッチが操作されて傾けられて、操作前の選択エリアとは異なる他の選択エリアに移動すると、スイッチを介して指に反力が伝えられるので、操作者は、選択エリアが移るごとに反力を感じる。
【００１５】
そのため、操作者は、この反力を頼りに、ステアリング上に目を落とさなくても、所望の処理の実行を指示するための選択エリアに、スイッチを傾けることができる。
そして、このように所望の選択エリアにスイッチが傾けられると、その選択エリアに対応する処理の実行が指示手段により指示される。
【００１６】
従って、この操作装置を用いると、操作者は、１つのスイッチを操作するだけで、複数ある処理のうち、１つの処理の実行を指示することができるので、操作者が所望する処理の実行を指示する操作を、ステアリング上に目を落とさなくても操作することができる。
【００１７】
尚、請求項２に記載したように、反力伝達手段は、スイッチが傾斜して境界線を通過するとき、スイッチを引き込むことによって反力を指に伝達するようにしてもよい。
次に、請求項３に記載したように、請求項１に記載の操作装置において、スイッチを押下可能に構成するとともに、スイッチの押下を検出する押下検出手段を備えてもよい。
【００１８】
この場合、指示手段は、押下されたスイッチが位置する選択エリアに対応する処理の実行を少なくとも指示するように構成するとよい。
このようにすると、スイッチの押下によって、選択エリアに対応する処理の実行を指示できるので、押下スイッチを操作する感覚で、選択エリアに対応する処理の実行を指示できる。
【００１９】
次に、請求項４に記載したように、請求項３に記載の操作装置において、スイッチが押下された状態で、境界線を交差して移動したか否かを判定する判定手段を備えてもよい。
そしてこの場合、指示手段は、境界線を交差して移動したと判定されたとき、スイッチが移動の前後に位置した選択エリアに対応する２つの処理を同時に実行することを指示するよう構成してもよい。
【００２０】
このようにすると、スイッチが位置する選択エリアに対応する処理以外に、押下されたスイッチが移動する前の位置に対応する処理の実行をも指示することができるので、二つの処理の実行を同時に指示することができる。
【００２１】
ところで、運転中に操作装置を操作することは、操作装置の操作に慣れていないと、危険である場合がある。
そこで請求項５に記載したように、請求項１〜５のいずれかに記載の操作装置において、スイッチの操作回数あるいは操作ミスの回数に応じて操作の熟練度を判定する熟練度判定手段を備え、この熟練度判定手段による判定の結果、操作の熟練度が低いと判定された場合、指示手段が指示可能な一部の指示を制限手段で制限してもよい。
【００２２】
このようにすると、操作装置の操作になれていない操作者は一部の操作ができないので、例えば、危険を伴うような操作ができないようにすれば、運転中に操作装置を操作することによって生じる危険性を回避することができる。
【００２３】
尚、熟練度の判定は、具体的には、例えば、請求項６に記載したように、スイッチが操作された操作回数を計数し、この計数結果が、予め定められた操作回数以下の場合、操作の熟練度が低いと判定するようにしてもよい。
【００２４】
また、請求項７に記載したように、スイッチが最後に位置する選択エリアである終点エリアに到達するまでに、移動を開始した選択エリアである始点エリア及び終点エリア以外の選択エリアを通過する通過操作、いわゆる操作ミス、がなされる確率を計数し、この確率が高い場合、操作の熟練度が低いと判定してもよい。
【００２５】
次に、請求項８に記載したように、指示手段で指示された内容を音声で報知する報知手段と、熟練度が、予め定められた熟練度よりも高い場合、報知手段による音声での報知を停止する報知停止手段と、を備えてもよい。
【００２６】
このようにすると、操作に慣れないうちは音声による案内が流れるが、操作になれて音声による案内が耳障りになったとき音声が消えるので、熟練度に応じて、快適に操作装置を操作することができる。
【００２７】
ところで、車両の走行条件（悪天候、慣れない土地における運転等）が悪い場合に、運転中に操作装置を操作させることは危険である場合がある。
そこで、請求項９に記載したように、車両の走行条件を検出手段で検出し、検出された走行条件が、スイッチの操作に適しないとして予め定められた操作条件に一致するか条件判定手段で判定してもよい。
【００２８】
そして、走行条件が、走行条件に一致する場合、スイッチの操作を規制手段により不能にするようにしてもよい。
このようにすると、車両の走行条件が悪い場合に、操作装置の操作が制限されるので、走行条件が悪い場合に操作装置を操作させる危険を防止することができる。
【００２９】
ところで、上述した操作装置は、用途に応じてステアリングに１つ備えられていてもよいが、ステアリングは左右両手で握るものなので、それぞれの手の届くところに２つ操作装置を備えるなど、あるいはそれ以上備えていてもよい。
【００３０】
特に２つの操作装置を備える場合は、請求項９に記載したように、車両の機能を選択する第１操作装置と、第１操作装置で選択された機能を操作する第２操作装置とを備えるようにしてもよい。
【００３１】
そして、請求項１０に記載したように、第１操作装置として、請求項１〜９のいずれかに記載された操作装置を用いてもよい。
【発明を実施するための最良の形態】
【００３２】
以下、本発明が適用された実施形態について図面を用いて説明する。
ここで、図１は、本実施形態の操作装置を構成するスイッチの説明図で、（ａ）は、このスイッチが取り付けられたステアリングと、各スイッチで機能や操作コマンドを選択するための選択エリアについて説明するための模式図であり、（ｂ）は、各スイッチが操作されて傾斜する様子を示した模式図であり、（ｃ）は、選択エリア上で、スイッチの操作により機能が選択される様子を説明するため示した模式図であり、（ｄ）は、各スイッチが、通常、押下、操作規制の各状態のときの様子を説明するための模式図である。
１．外部構成
本実施形態では、図１（ａ）に示すように、ステアリング１を握る左右の手の親指がそれぞれ届く位置に、本実施形態の操作装置を構成するスイッチ１１，１２が備えられている。
１．１．第１スイッチ１１
このうち、左手の親指が届く位置に備えられたスイッチ１１は、図１（ａ）中の吹き出しＡ（以下図１Ａという）中に示された９つの機能のうち１つの機能を選択するためのスイッチである。以下、このスイッチ１１を第１スイッチ１１と呼ぶ。
【００３３】
この第１スイッチ１１は、ステアリング表面から立設されるようにしてステアリングに取り付けられており、図１（ｂ）に示すように、ステアリングに取り付けられた側の端部を支点に、遊端側が傾斜する構造となっている。
【００３４】
そして、この第１スイッチ１１の可動エリア内には、図１Ａに示すように、複数の選択エリア１１ａ〜１１ｉが設定されている。
これら選択エリア１１ａ〜１１ｉは、この第１スイッチ１１で実行を指示することが可能な車両機能を選択するためのエリアであり、各選択エリアには、それぞれ選択可能な車両機能があてがわれている。
【００３５】
左上の選択エリア１１ａは、運転者に任意の第１車両機能を選択するエリアであり、中上の選択エリア１１ｂは、電話を選択するエリアであり、右上の選択エリア１１ｃは、シートを選択するエリアである。
【００３６】
また、左中の選択エリア１１ｄは、運転者に任意の第２車両機能を選択するエリアであり、中央の選択エリア１１ｅは、エアコンを選択するエリアであり、右中の選択エリア１１ｆは、オーディオを選択するエリアである。
【００３７】
さらに、左下の選択エリア１１ｇは、車両の助手席側のミラーである左ミラーを選択するエリアであり、中下の選択エリア１１ｈは、フロントガラスに映像を表示する装置を選択するエリアであり。右下の選択エリア１１ｉは、車両の運転席側のミラーである右ミラーを選択するエリアである。
【００３８】
本実施形態では、この第１スイッチ１１を図１（ｂ）に示すように移動すると、図１（ｃ）に示すように選択エリア上をなぞって移動する。
また、この第１スイッチ１１は、図１（ｄ）に示すように、押下可能に構成され（図１（ｄ）中の通常状態から押下状態に変位する状態）、第１スイッチ１１を押していた指を離すと、押下前の状態（図１（ｄ）中の通常状態と記載した状態）まで復帰するよう構成されている。
【００３９】
さらに、この第１スイッチ１１は、後述するコンピュータ３による処理により、操作ができない位置までステアリング１内に埋没し（図１（ｄ）中の操作規制状態と記載した状態）、また操作可能な位置（図１（ｄ）中の通常状態と記載した状態）まで復帰可能に構成されている。
【００４０】
また、この第１スイッチ１１は、傾斜させた後に指を離すと、可動エリアの中央（エアコンを選択可能な位置）に自動的に復帰するように構成されている。
１．２．第２スイッチ１２
次に、右手の親指が届く位置に備えられたスイッチ１２は、図１中の吹き出しＢ（以下図１Ｂという）中に示された４つの操作コマンドのうち１つの操作コマンドを選択するためのスイッチである。以下、このスイッチ１２を第２スイッチ１２と呼ぶ。
【００４１】
この第２スイッチ１２も、ステアリング１表面から立設されるようにしてステアリングに取り付けられており、ステアリング１に取り付けられた側の端部を支点に、遊端側が傾斜する構造となっている。
【００４２】
そして、この第２スイッチ１２の可動エリア内には、図１Ｂに示すように、複数の選択エリア１２ａ〜１２ｄが設定されている。
この選択エリア１２ａ〜１２ｄは、第１スイッチ１１を操作して選択された車両機能について操作するためのエリアであり、各選択エリアには、それぞれ操作可能な操作コマンドがあてがわれている。
【００４３】
中央から見て、左側の選択エリア１２ａには、左方を指示する操作コマンドを選択するエリア、上側の選択エリア１２ｂには、上方を指示する操作コマンドを選択するエリア、右側の選択エリア１２ｃには、右方を指示する操作コマンドを選択するエリア、下側の選択エリア１２ｄには、下方を指示する操作コマンドを選択するエリアである。
【００４４】
本実施形態では、この第２スイッチ１２を図１（ｂ）に示すように移動すると、第１スイッチ１１と同様に、選択エリア１２ａ〜１２ｄを変更することができる。
また、この第２スイッチ１２は、図１（ｄ）に示すように、押下可能に構成され（図１（ｄ）中の通常状態から押下状態に変位する状態）、第１スイッチ１１を押していた指を離すと、押下前の状態（図１（ｄ）中の通常状態と記載した状態）まで復帰するよう構成されている。
【００４５】
さらに、この第２スイッチ１２は、後述するコンピュータ３による処理により、操作ができない位置までステアリング１内に埋没し（図１（ｄ）中の操作規制状態と記載した状態）、また操作可能な位置（図１（ｄ）中の通常状態と記載した状態）まで復帰可能に構成されている。
【００４６】
また、この第２スイッチ１２は、傾斜させた後に指を離すと、可動エリアの中央（操作コマンドを選択するエリアとして規定されていない部分）に自動的に復帰するように構成されている。
２．内部構成
本実施形態の操作装置を備える車両の内部構成について説明する。
【００４７】
ここで、図２は、車両の内部構成を示すブロック図である。
２．１．第１スイッチ１１、及び、第２スイッチ１２に関する構成
この車両のステアリング１の内部には、図２に示すように、第１スイッチ１１が押下されたことを検出する押下センサ１１０と、第１スイッチ１１の傾斜位置を検出する傾斜位置検出センサ１１１と、第１スイッチ１１を、通常位置から操作規制位置、あるいは、操作規制位置から通常位置に移動させる位置変更器１１２が備えられている。
【００４８】
また、この車両のステアリング１の内部には、第２スイッチ１２が押下されたことを検出する押下センサ１２０と、第２スイッチ１２の傾斜位置を検出する傾斜位置検出センサ１２１と、第２スイッチ１２を、通常位置から操作規制位置、あるいは、操作規制位置から通常位置に移動させる位置変更器１２２が備えられている。
２．２．コンピュータ
本実施形態の車両内には、これら押下センサ１１０，１２０、傾斜位置検出センサ１１１，１２１、位置変更器１１２，１２２と通信可能に接続されたコンピュータ３を備えている。
【００４９】
このコンピュータ３は、後述する各種処理を実行する図示しないＣＰＵ、ＲＡＭ３ａ、ＲＯＭ等を備えるとともに、記憶装置３０を備えている。
この記憶装置３０には、選択エリア位置記憶領域３１と、境界線位置記憶領域３２と、操作ログ記憶領域３３と、熟練度記憶領域３４とが設けられている。
【００５０】
選択エリア位置記憶領域３１には、第１スイッチ１１の選択エリア１１ａ〜１１ｉの位置を示す情報と、第２スイッチ１２の選択エリア１２ａ〜１２ｄの位置を示す情報が記憶されている。
【００５１】
境界線位置記憶領域３２には、各選択エリア１１ａ〜１１ｉ、１２ａ〜１２ｄを区切る境界線１１ｚ、１２ｚ（図１Ａ及び図１Ｂ中の斜線部分）の位置を示す情報が記憶されている。
【００５２】
操作ログ記憶領域３３には、第１スイッチ１１、第２スイッチ１２を操作した回数に関する情報、及び、第１スイッチ１１、第２スイッチ１２をミスなく操作した回数、操作ミスした回数が記憶される。
【００５３】
熟練度記憶領域３４には、運転者の熟練度を示す情報が記憶される。
２．３．コンピュータの周辺
次に、上述したコンピュータ３には、第１スイッチ１１、及び、第２スイッチ１２に関する構成の他に、各種の装置が接続される。
【００５４】
具体的には、コンピュータ３には、走行条件に関する情報を入力するセンサ群４０及びナビゲーション装置４１と、音声出力装置４２が接続される。
また、コンピュータ３には、シート制御装置５０、右ミラー制御装置５１、エアコン制御装置５２、第１車両機能制御装置５３、左ミラー制御装置５４、オーディオ制御装置５５、電話制御装置５６、映像制御装置５７、第２車両機能制御装置５８が接続される。
【００５５】
これらのうち、センサ群４０は、車両の運転状況を監視する装置や、車両の周囲の天気を検出するセンサなどからなり、車両が停車中であるか、バック中であるか、ワイパーを高速で稼動中であるか、車両の周りで霧が出ているか、雪が降っているか、凍結があるか等の情報をコンピュータ３に入力するものである。
【００５６】
ナビゲーション装置４１は、ナビゲーションに関する情報を車両内で表示して、運転者をナビゲートする装置であり、本実施形態では、車両が現在走行している周囲の交通状況に関する情報をコンピュータ３に入力するものである。
【００５７】
具体的には、車両が現在走行している道路が、見通しの悪い道であるのか、カーブが連続している道であるのか、急カーブであるのか、事故が多発している地点であるのか、１０回以上通ったことがある道であるのかなどの情報を、コンピュータ３に入力する。
【００５８】
音声出力装置４２は、スピーカ等を備えた音声を出力する装置で、コンピュータ３からの指示により、指示に従った音声を出力する装置である。
シート制御装置５０は、運転席のシートの高さや前後方向の位置等を調整する装置を制御するコンピュータである。
【００５９】
右ミラー制御装置５１は、運転席側のミラーの傾きを調整する装置を制御するコンピュータである。
エアコン制御装置５２は、エアコン（エアコンディショナー）の温度や風量等を調整する装置を制御するコンピュータである。
【００６０】
第１車両機能制御装置５３は、運転者が任意に設定した装置を制御するコンピュータである。
左ミラー制御装置５４は、助手席側のミラーの傾きを調整する装置を制御するコンピュータである。
【００６１】
オーディオ制御装置５５は、オーディオの音量を調節する装置や、テープ送りをする装置を制御するコンピュータである。
電話制御装置５６は、車内電話の音量や、オンフックやオフフック等を調整する装置を制御するコンピュータである。
【００６２】
映像制御装置５７は、車両内に設置されたモニタに、テレビ映像やＤＶＤ映像を表示する装置を制御するコンピュータである。
第２車両機能制御装置５８は、運転者が任意に設定した装置を制御するコンピュータである。
３．各種処理
以下、コンピュータ３で実行される各種処理について説明する。
３．１．操作処理
まず、第１スイッチ１１の操作処理３−１について説明する。
【００６３】
ここで図３は、操作処理のフローチャートである。
この操作処理３−１は、車両のエンジンがスタートすると開始され、まず、第１スイッチ１１が操作されたか否かが判定される（Ｓ１０）。
【００６４】
Ｓ１０では、具体的には、運転者が第１スイッチ１１に触れると、第１スイッチがわずかに動くので、この動きを傾斜位置検出センサ１１１が検出したか否かにより判定している。
【００６５】
このＳ１０で、第１スイッチ１１の操作が検出されたら（Ｓ１０：ＹＥＳ）、Ｓ１１の処理を実行し、検出されなかったら（Ｓ１０：ＮＯ）、待機する。
Ｓ１１では、第１スイッチ１１の傾斜位置が境界線１１９の位置に一致するかが判定される。この判定は、傾斜位置検出センサ１１１が検出した第１スイッチ１１の傾斜位置に関する情報と、境界線位置記憶領域３２に記憶された境界線１１ｚの位置に関する情報とを照らし合わせれば行うことができる。
【００６６】
このＳ１１で、第１スイッチ１１の傾斜位置が境界線１１９の位置に一致すると判定された場合は（Ｓ１１：ＹＥＳ）、Ｓ１２に進み、一致しないと判定された場合は（Ｓ１１：ＮＯ）、Ｓ１５に進む。
【００６７】
Ｓ１２では、位置変更器１１２を制御して、第１スイッチ１１を、その頂点が通常状態と押下状態との間の高さに（図１（ｄ）参照）位置する引込状態にして、Ｓ１３に進む。このとき、操作者は、第１スイッチ１１が急に「コクン」と下がる感触を指に受ける。
【００６８】
Ｓ１３では、第１スイッチ１１の傾斜位置がいずれの選択エリア１１ａ〜１１ｉの位置に一致するか判定される。この判定は、傾斜位置検出センサ１１１が検出した第１スイッチ１１の傾斜位置に関する情報と、選択エリア位置記憶領域３１に記憶された選択エリア１１ａ〜１１ｉの位置に関する情報とを照らし合わせることで行うことができる。
【００６９】
このＳ１３で、第１スイッチ１１の傾斜位置が選択エリア１１ａ〜１１ｉの位置に一致すると判定された場合は（Ｓ１３：ＹＥＳ）、Ｓ１４に進み、一致しないと判定された場合は（Ｓ１３：ＮＯ）、待機する。
【００７０】
Ｓ１４では、位置変更器１１２を制御して、第１スイッチ１１を通常状態にして（図１（ｄ）参照）、Ｓ１５に進む。このとき、操作者は、第１スイッチ１１を押す指に対して、その押す方向に反対に力がかかる反力を感じる。
【００７１】
Ｓ１５では、第１スイッチ１１が押下されたか否かを判定する。具体的には、第１スイッチ１１の押下を検出したことを示す信号を、このＳ１５の判定を開始してから一定時間経過するまでに押下センサ１１０から入力したか否かにより判定する。
【００７２】
このＳ１５で、第１スイッチ１１の押下を検出したことを示す信号が入力され、第１スイッチ１１が押下されたと判定されたら（Ｓ１５：ＹＥＳ）、Ｓ１６に進み、押下されないと判定されたら（Ｓ１５：ＮＯ）、再びＳ１０の処理を実行する。
【００７３】
Ｓ１６では、Ｓ１５で押下された第１スイッチ１１が位置する選択エリア１１ａ〜１１ｉの情報をＲＡＭ３Ａに記憶する処理が実行される。そして、Ｓ１７の処理が実行される。
【００７４】
Ｓ１７では、第１スイッチ１１の押下が終了したか否かを、押下センサ１１０から、第１スイッチ１１の押下を検出する信号が入力されなくなったか否かにより判定する。
このＳ１７で、第１スイッチ１１が押下されていると判定された場合は（Ｓ１７：ＹＥＳ）、再びＳ１６が実行され、押下されたまま第１スイッチ１１がすでにＲＡＭ３Ａに記憶されている選択エリア１１ａ〜１１ｉ以外の選択エリア１１ａ〜１１ｉに移動したら、移動後に第１スイッチ１１が位置する選択エリア１１ａ〜１１ｉの情報もＲＡＭ３Ａに記憶される。
【００７５】
尚、第１スイッチ１１が押下されたまま選択エリア１１ａ〜１１ｉ間を移動したか否かは、押下センサ１１０及び傾斜位置検出センサ１１１、選択エリア位置記憶領域３１に記憶された情報を用いれば、判定することができる。
【００７６】
一方、Ｓ１７で、第１スイッチ１１が押下されていないと判定された場合は（Ｓ１７：ＮＯ）、Ｓ１８の処理を実行する。
Ｓ１８では、第１スイッチ１１が、押下された状態で境界線１１ｚを越えたか否かが判定される。具体的には、ＲＡＭ３Ａに、２つの異なる選択エリア１１ａ〜１１ｉに関する情報が記憶されているか否かにより判定する。
【００７７】
このＳ１８で、第１スイッチ１１が、押下された状態で境界線１１ｚを越えたと判定された場合、すなわち、二つの選択エリア１１ａ〜１１ｉに関する情報が記憶されている場合（Ｓ１８：ＹＥＳ）、Ｓ１９の処理が実行され、二つの選択エリア１１ａ〜１１ｉに関する情報が記憶されていない場合（Ｓ１８：ＮＯ）、非同時処理Ｓ３０が実行される。
【００７８】
Ｓ１９では、後述する熟練度判定処理により、熟練度が高いと判定されている場合に実行される。この熟練度が高いか否かは、熟練度記憶領域３４に、熟練度が高いことを示す情報が記憶されているか否かにより判定される。
【００７９】
このＳ１９で、熟練度が高いと判定された場合は（Ｓ１９：ＹＥＳ）、同時処理Ｓ４０が実行され、一方、熟練度が低いと判定された場合は（Ｓ１９：ＮＯ）、Ｓ２０の処理が実行される。
【００８０】
そして、非同時処理Ｓ３０あるいは同時処理Ｓ４０が終了した場合も、Ｓ２０の処理が実行される。
Ｓ２０では、ＲＡＭ３ａに記憶されている選択エリア１１ａ〜１１ｉに関する情報が消去される。
【００８１】
そして、このＳ２０が終了すると、再びＳ１０の処理が実行される。
３．２．同時処理
次に、同時処理Ｓ４０について説明する。
【００８２】
ここで図４は、第１スイッチ１１を操作して選択エリア１１ａ〜１１ｉをなぞって選択する様子を説明するための、選択エリア１１ａ〜１１ｉの模式図である。
また、図５は、同時処理のフローチャートである。
【００８３】
同時処理Ｓ４０が開始されると、図５に示すように、まず、Ｓ４１が実行される。
本実施形態では、エアコンと映像、エアコンと電話、エアコンとオーディオが同時制御の対象なので、このＳ４１では、ＲＡＭ３ａに、これらの組合せに係る選択エリア１１ａ〜１１ｉの情報がＲＡＭ３ａに記憶されているかが判定される。
【００８４】
そして、このＳ４１で、これらの組合せに係る選択エリア１１ａ〜１１ｉの情報がＲＡＭ３ａに記憶されていないと判定された場合は（Ｓ４１：ＮＯ）、Ｓ４２に進み、記憶されていると判定された場合は（Ｓ４１：ＹＥＳ）、Ｓ４３に進む。
【００８５】
本実施形態では、第１スイッチ１１が、図４（ａ）に示すように、例えば、エアコンの選択エリア１１ｅで押下され、押下された状態で、映像の選択エリア１１ｈに移動する操作がなされると（第１スイッチ１１の太い黒枠で囲った部分のように移動）、操作処理３−１により、これらの選択エリア１１ｅ，１１ｈの情報がＲＡＭ３ａに記憶されるので、このような操作のうち、上記組合せに係る操作が行われたか否かが、このＳ４１では、判定されているのである。以下このような操作を同時操作という。
【００８６】
次に、Ｓ４２では、図５に示すように、「その操作はできません」との音声を音声出力装置４２から出力する処理が実行される。
本実施形態では、エアコンと映像、エアコンと電話、エアコンとオーディオの各車両機能をだけを同時に選択することができるため、他の組合せに係る車両機能を同時に選択できないことを、このＳ４２では報知しているのである。
【００８７】
このＳ４２が終了すると、同時処理Ｓ４０を終了して、操作処理３−１のＳ２０の処理が実行される。
Ｓ４３では、エアコンと映像、エアコンと電話、エアコンとオーディオのいずれの組合せの車両機能が選択されたかを判定する。
【００８８】
このＳ４３で、エアコンと映像の車両機能が選択されていると判定された場合（Ｓ４３：エアコン・映像）、エアコン・映像同時操作処理Ｓ４１０が実行される。
また、このＳ４３で、エアコンと電話の車両機能が選択されていると判定された場合（Ｓ４３：エアコン・電話）、エアコン・電話同時操作処理Ｓ４２０が実行され、エアコンとオーディオの車両機能が選択されていると判定された場合（Ｓ４３：エアコン・オーディオ）、エアコン・オーディオ同時操作処理Ｓ４３０が実行される。
【００８９】
そして、これらＳ４１０〜Ｓ４３０の処理が終了すると、同時処理Ｓ４０を終了して、操作処理３−１のＳ２０の処理が実行される。
３．３．非同時処理
次に、非同時処理Ｓ３０について説明する。
【００９０】
ここで図６は、非同時処理のフローチャートである。
この非同時処理Ｓ３０が実行されると、まず、いずれの車両機能が選択されたかが判定される（Ｓ３１）。具体的には、ＲＡＭ３ａに、いずれの車両機能を選択する選択エリアの情報が記憶されているかによって判定する。
【００９１】
このＳ３１で、エアコンが選択されている場合は（Ｓ３１：エアコン）、エアコン操作処理Ｓ３１０が実行され、オーディオが選択されている場合は（Ｓ３１：オーディオ）、オーディオ操作処理Ｓ３２０が実行される。
【００９２】
また、Ｓ３１で、映像が選択されている場合は（Ｓ３１：映像）、映像操作処理Ｓ３３０が実行され、シートが選択されている場合は（Ｓ３１：シート）、シート操作処理Ｓ３４０が実行され、右ミラーが選択されている場合は（Ｓ３１：右ミラー）、右ミラー操作処理Ｓ３５０が実行され、左ミラーが選択されている場合は（Ｓ３１：左ミラー）、左ミラー操作処理Ｓ３６０が実行される。
【００９３】
さらに、Ｓ３０で、電話が選択されている場合は（Ｓ３１：電話）、電話操作処理Ｓ３７０が実行され、第１車両機能が選択されている場合は（Ｓ３１：第１車両機能）、第１車両機能操作処理Ｓ３８０が実行され、第２車両機能が選択されている場合は（Ｓ３１：第２車両機能）、第２車両機能操作処理Ｓ３９０が実行される。
【００９４】
そして、これら、Ｓ３１０〜Ｓ３８０の処理が終了すると、非時処理Ｓ３０を終了して、操作処理３−１のＳ２０の処理が実行される。
３．４．エアコン操作処理
次に、エアコン操作処理について説明する。
【００９５】
ここで図７は、エアコン操作処理のフローチャートである。
エアコン操作処理Ｓ３１０が開始されると、まず、Ｓ３１１が実行される。
このＳ３１１では、第２スイッチ１２が、いずれの選択エリア１２ａ〜１２ｄに移動したかが判定される。この判定は、傾斜位置検出センサ１２１から入力される第２スイッチ１２の傾斜位置に関する情報と、選択エリア位置記憶領域３１に記憶された選択エリア１２ａ〜１２ｄの位置に関する情報とを照らし合わせることで判定することができる。
【００９６】
このＳ３１１の判定で、第２スイッチ１２が、上方を示す操作コマンドの選択エリア１２ｂに移動されていると判定されたら、Ｓ３１２ａを実行し、第２スイッチ１２が、下方を示す操作コマンドの選択エリア１２ｄに移動されていると判定されたら、Ｓ３１２ｂを実行する。
【００９７】
また、このＳ３１１の判定で、第２スイッチ１２が、右方を示す操作コマンドの選択エリア１２ｃに移動されていると判定されたら、Ｓ３１２ｃを実行し、第２スイッチ１２が、左方を示す操作コマンドの選択エリア１２ａに移動されていると判定されたら、Ｓ３１２ｄを実行する。
【００９８】
Ｓ３１２ａでは、第２スイッチ１２が押下されたか判定され、具体的には、Ｓ３１２ａの処理が開始されてから５秒以内に、第２スイッチ１２側の押下センサ１２０から、第２スイッチ１２が押下されたことを示す情報が入力されたかが判定される。
【００９９】
このＳ３１２ａで、第２スイッチ１２が押下されたと判定されたら（Ｓ３１２ａ：ＹＥＳ）、Ｓ３１３ａの処理が実行され、押下されていない、すなわちＳ３１２ａが開始されてから５秒以内に第２スイッチ１２が押下されたことを示す情報が入力されていない、と判定されたら（Ｓ３１２ａ：ＮＯ）、Ｓ３１４の処理が実行される。
【０１００】
Ｓ３１３ａでは、エアコンの温度を上げるよう指示する情報を、エアコン制御装置５２に送信する処理が実行される。
すなわち、本実施形態では、Ｓ３１３ａの処理が、Ｓ３１１からＳ３１２ａの処理を経て実行されていることから、第２スイッチ１２が上方を示す操作コマンドの選択エリア１２ｂに位置するときに押下されると、エアコンの温度を上げることができる。
【０１０１】
そして、このＳ３１３ａが実行されると、次にＳ３１４の処理が実行される。
Ｓ３１２ｂでも、Ｓ３１２ａと同様、第２スイッチ１２が押下されたか判定される。
このＳ３１２ａで、第２スイッチ１２が押下されたと判定されたら（Ｓ３１２ｂ：ＹＥＳ）、Ｓ３１３ｂの処理が実行され、押下されていないと判定されたら（Ｓ３１２ｂ：ＮＯ）、Ｓ３１４の処理が実行される。
【０１０２】
Ｓ３１３ｂでは、エアコンの温度を下げるよう指示する情報を、エアコン制御装置５２に送信する処理が実行される。
すなわち、本実施形態では、Ｓ３１３ｂの処理が、Ｓ３１１からＳ３１２ｂの処理を経て実行されていることから、第２スイッチ１２が下方を示す操作コマンドの選択エリア１２ｄに位置するときに押下されると、エアコンの温度を下げることができる。
【０１０３】
そして、このＳ３１３ｂが実行されると、次にＳ３１４の処理が実行される。
Ｓ３１２ｃでも、Ｓ３１２ａと同様、第２スイッチ１２が押下されたか判定される。
このＳ３１２ｃで、第２スイッチ１２が押下されたと判定されたら（Ｓ３１２ｃ：ＹＥＳ）、Ｓ３１３ｃの処理が実行され、押下されていないと判定されたら（Ｓ３１２ｃ：ＮＯ）、Ｓ３１４の処理が実行される。
【０１０４】
Ｓ３１３ｃでは、エアコンの風量を上げるよう指示する情報を、エアコン制御装置５２に送信する処理が実行される。
すなわち、本実施形態では、Ｓ３１３ｃ処理が、Ｓ３１１からＳ３１２ｃの処理を経て実行されていることから、第２スイッチ１２が右方を示す操作コマンドの選択エリア１２ｃに位置するときに押下されると、エアコンの風量を上げることができる。
【０１０５】
そして、このＳ３１３ｃが実行されると、次にＳ３１４の処理が実行される。
Ｓ３１２ｄでも、Ｓ３１２ａと同様、第２スイッチ１２が押下されたか判定される。
このＳ３１２ｄで、第２スイッチ１２が押下されたと判定されたら（Ｓ３１２ｄ：ＹＥＳ）、Ｓ３１３ｄの処理が実行され、押下されていないと判定されたら（Ｓ３１２ｄ：ＮＯ）、Ｓ３１４の処理が実行される。
【０１０６】
Ｓ３１３ｄでは、エアコンの温度を下げるよう指示する情報を、エアコン制御装置５２に送信する処理が実行される。
すなわち、本実施形態では、Ｓ３１３ｄの処理が、Ｓ３１１からＳ３１２ｄの処理を経て実行されていることから、第２スイッチ１２が下方を示す操作コマンドの選択エリア１２ａに位置するときに押下されると、エアコンの温度を下げることができる。
【０１０７】
そして、このＳ３１３ｄが実行されると、次にＳ３１４の処理が実行される。
Ｓ３１４では、このエアコン操作処理Ｓ３１０の終了を指示する操作がなされたか否かが判定される。具体的には、第２スイッチ１２が境界線１１ｚ上に位置しているときに、第２スイッチ１２が押下されたか否かが判定される。この判定は、傾斜位置検出センサ１２１で検出される第２スイッチ１２の傾斜位置に関する情報と、境界線位置記憶領域３２に記憶された境界線１１ｚの位置に関する情報とを照らし合わせることで行うことができる。
【０１０８】
このＳ３１４で、このエアコン操作処理Ｓ３１０の終了を指示する操作がなされた、すなわち第２スイッチ１２が境界線１２ｚ上で押下された、と判定された場合（Ｓ３１４：ＹＥＳ）、非同時処理Ｓ３０に戻り、このエアコン操作処理Ｓ３１０の終了を指示する操作がなされていないと判定された場合（Ｓ３１４：ＮＯ）、再びＳ３１１の処理を実行する。
３．５．オーディオ操作処理
次に、オーディオ操作処理について説明する。
【０１０９】
ここで図８は、オーディオ操作処理のフローチャートである。
オーディオ操作処理Ｓ３２０が開始されると、まず、Ｓ３２１が実行される。
このＳ３２１では、Ｓ３１１と同様に、第２スイッチ１２が、いずれの選択エリア１２ａ〜１２ｄに移動したかが判定される。
【０１１０】
このＳ３２１の判定で、第２スイッチ１２が、上方を示す操作コマンドの選択エリア１２ｂに移動されていると判定されたら、Ｓ３２２ａを実行し、第２スイッチ１２が、下方を示す操作コマンドの選択エリア１２ｄに移動されていると判定されたら、Ｓ３２２ｂを実行する。
【０１１１】
また、このＳ３２１の判定で、第２スイッチ１２が、右方を示す操作コマンドの選択エリア１２ｃに移動されていると判定されたら、Ｓ３２２ｃを実行し、第２スイッチ１２が、左方を示す操作コマンドの選択エリア１２ａに移動されていると判定されたら、Ｓ３２２ｄを実行する。
【０１１２】
Ｓ３２２ａでは、Ｓ３１２ａと同様に、第２スイッチ１２が押下されたか判定される。
このＳ３２２ａで、第２スイッチ１２が押下されたと判定されたら（Ｓ３２２ａ：ＹＥＳ）、Ｓ３２３ａの処理が実行され、押下されていないと判定されたら（Ｓ３２２ａ：ＮＯ）、Ｓ３２４の処理が実行される。
【０１１３】
Ｓ３２３ａでは、オーディオの音量を上げるよう指示する情報を、オーディオ制御装置５５に送信する処理が実行される。
すなわち、本実施形態では、Ｓ３２３ａの処理が、Ｓ３２１からＳ３２２ａの処理を経て実行されていることから、第２スイッチ１２が上方を示す操作コマンドの選択エリア１２ｂに位置するときに押下されると、オーディオの音量を上げることができる。
【０１１４】
そして、このＳ３２３ａが実行されると、次にＳ３２４の処理が実行される。
Ｓ３２２ｂでも、Ｓ３１２ａと同様、第２スイッチ１２が押下されたか判定される。
このＳ３２２ａで、第２スイッチ１２が押下されたと判定されたら（Ｓ３２２ｂ：ＹＥＳ）、Ｓ３２３ｂの処理が実行され、押下されていないと判定されたら（Ｓ３２２ｂ：ＮＯ）、Ｓ３２４の処理が実行される。
【０１１５】
Ｓ３２３ｂでは、オーディオの音量を下げるよう指示する情報を、オーディオ制御装置５５に送信する処理が実行される。
すなわち、本実施形態では、Ｓ３２３ｂの処理が、Ｓ３２１からＳ３２２ｂの処理を経て実行されていることから、第２スイッチ１２が下方を示す操作コマンドの選択エリア１２ｄに位置するときに押下されると、オーディオの音量を下げることができる。
【０１１６】
そして、このＳ３２３ｂが実行されると、次にＳ３２４の処理が実行される。
Ｓ３２２ｃでも、Ｓ３１２ａと同様、第２スイッチ１２が押下されたか判定される。
このＳ３２２ｃで、第２スイッチ１２が押下されたと判定されたら（Ｓ３２２ｃ：ＹＥＳ）、Ｓ３２３ｃの処理が実行され、押下されていないと判定されたら（Ｓ３２２ｃ：ＮＯ）、Ｓ３２４の処理が実行される。
【０１１７】
Ｓ３２３ｃでは、オーディオが再生している音楽について、次の曲の先頭に飛ぶよう指示する情報を、オーディオ制御装置５５に送信する処理が実行される。
すなわち、本実施形態では、Ｓ３２３ｃ処理が、Ｓ３２１からＳ３２２ｃの処理を経て実行されていることから、第２スイッチ１２が右方を示す操作コマンドの選択エリア１２ｃに位置するときに押下されると、オーディオが再生している音楽について、次の曲の先頭に飛ばすことができる。
【０１１８】
そして、このＳ３２３ｃが実行されると、次にＳ３２４の処理が実行される。
Ｓ３２２ｄでも、Ｓ３１２ａと同様、第２スイッチ１２が押下されたか判定される。
このＳ３２２ｄで、第２スイッチ１２が押下されたと判定されたら（Ｓ３２２ｄ：ＹＥＳ）、Ｓ３２３ｄの処理が実行され、押下されていないと判定されたら（Ｓ３２２ｄ：ＮＯ）、Ｓ３２４の処理が実行される。
【０１１９】
Ｓ３２３ｄでは、オーディオが再生している音楽について、前の曲の先頭に飛ぶよう指示する情報を、オーディオ制御装置５５に送信する処理が実行される。
すなわち、本実施形態では、Ｓ３２３ｄの処理が、Ｓ３２１からＳ３２２ｄの処理を経て実行されていることから、第２スイッチ１２が下方を示す操作コマンドの選択エリア１２ａに位置するときに押下されると、オーディオが再生している音楽について、前の曲の先頭に飛ばすことができる。
【０１２０】
そして、このＳ３２３ｄが実行されると、次にＳ３２４の処理が実行される。
Ｓ３２４では、Ｓ３１４と同様、このオーディオ操作処理Ｓ３２０の終了を指示する操作がなされたか否かが判定される。
【０１２１】
このＳ３２４で、このオーディオ操作処理Ｓ３２０の終了を指示する操作がなされた、すなわち第２スイッチ１２が境界線１２ｚ上で押下された、と判定された場合（Ｓ３２４：ＹＥＳ）、非同時処理Ｓ３０に戻り、このオーディオ操作処理Ｓ３２０の終了を指示する操作がなされていないと判定された場合（Ｓ３２４：ＮＯ）、再びＳ３２１の処理を実行する。
３．６．映像装置操作処理
次に、映像装置操作処理について説明する。
【０１２２】
ここで図９は、映像装置操作処理のフローチャートである。
映像装置操作処理Ｓ３３０が開始されると、まず、Ｓ３３１が実行される。
このＳ３３１では、Ｓ３１１と同様に、第２スイッチ１２が、いずれの選択エリア１２ａ〜１２ｄに移動したかが判定される。
【０１２３】
このＳ３３１の判定で、第２スイッチ１２が、上方を示す操作コマンドの選択エリア１２ｂに移動されていると判定されたら、Ｓ３３２ａを実行し、第２スイッチ１２が、下方を示す操作コマンドの選択エリア１２ｄに移動されていると判定されたら、Ｓ３３２ｂを実行する。
【０１２４】
また、このＳ３３１の判定で、第２スイッチ１２が、右方を示す操作コマンドの選択エリア１２ｃに移動されていると判定されたら、Ｓ３３２ｃを実行し、第２スイッチ１２が、左方を示す操作コマンドの選択エリア１２ａに移動されていると判定されたら、Ｓ３３２ｄを実行する。
【０１２５】
Ｓ３３２ａでは、Ｓ３１２ａと同様に、第２スイッチ１２が押下されたか判定される。
このＳ３３２ａで、第２スイッチ１２が押下されたと判定されたら（Ｓ３３２ａ：ＹＥＳ）、Ｓ３３３ａの処理が実行され、押下されていないと判定されたら（Ｓ３３２ａ：ＮＯ）、Ｓ３３４の処理が実行される。
【０１２６】
Ｓ３３３ａでは、映像装置の音量を上げるよう指示する情報を、映像制御装置５７に送信する処理が実行される。
すなわち、本実施形態では、Ｓ３３３ａの処理が、Ｓ３３１からＳ３３２ａの処理を経て実行されていることから、第２スイッチ１２が上方を示す操作コマンドの選択エリア１２ｂに位置するときに押下されると、映像装置の音量を上げることができる。
【０１２７】
そして、このＳ３３３ａが実行されると、次にＳ３３４の処理が実行される。
Ｓ３３２ｂでも、Ｓ３１２ａと同様、第２スイッチ１２が押下されたか判定される。
このＳ３３２ａで、第２スイッチ１２が押下されたと判定されたら（Ｓ３３２ｂ：ＹＥＳ）、Ｓ３３３ｂの処理が実行され、押下されていないと判定されたら（Ｓ３３２ｂ：ＮＯ）、Ｓ３３４の処理が実行される。
【０１２８】
Ｓ３３３ｂでは、映像装置の音量を下げるよう指示する情報を、映像制御装置５７に送信する処理が実行される。
すなわち、本実施形態では、Ｓ３３３ｂの処理が、Ｓ３３１からＳ３３２ｂの処理を経て実行されていることから、第２スイッチ１２が下方を示す操作コマンドの選択エリア１２ｄに位置するときに押下されると、映像装置の音量を下げることができる。
【０１２９】
そして、このＳ３３３ｂが実行されると、次にＳ３３４の処理が実行される。
Ｓ３３２ｃでも、Ｓ３１２ａと同様、第２スイッチ１２が押下されたか判定される。
このＳ３３２ｃで、第２スイッチ１２が押下されたと判定されたら（Ｓ３３２ｃ：ＹＥＳ）、Ｓ３３３ｃの処理が実行され、押下されていないと判定されたら（Ｓ３３２ｃ：ＮＯ）、Ｓ３３４の処理が実行される。
【０１３０】
Ｓ３３３ｃでは、映像装置がＴＶの映像を表示している場合、チェンネルを＋の方向、すなわち１ｃｈであれば２ｃｈに変え、ＤＶＤの映像を表示している場合、映像を＋方向、すなわち終わりの方向にスキップさせるよう指示する情報を、映像制御装置５７に送信する処理が実行される。
【０１３１】
すなわち、本実施形態では、Ｓ３３３ｃ処理が、Ｓ３３１からＳ３３２ｃの処理を経て実行されていることから、第２スイッチ１２が右方を示す操作コマンドの選択エリア１２ｃに位置するときに押下されると、映像装置がＴＶの映像を表示している場合、チェンネルを＋の方向に変えることができ、ＤＶＤの映像を表示している場合、映像を終わりの方向にスキップさせることができる。
【０１３２】
そして、このＳ３３３ｃが実行されると、次にＳ３３４の処理が実行される。
Ｓ３３２ｄでも、Ｓ３１２ａと同様、第２スイッチ１２が押下されたか判定される。
このＳ３３２ｄで、第２スイッチ１２が押下されたと判定されたら（Ｓ３３２ｄ：ＹＥＳ）、Ｓ３３３ｄの処理が実行され、押下されていないと判定されたら（Ｓ３３２ｄ：ＮＯ）、Ｓ３３４の処理が実行される。
【０１３３】
Ｓ３３３ｄでは、映像装置がＴＶの映像を表示している場合、チェンネルを−の方向、すなわち２ｃｈであれば１ｃｈに変え、ＤＶＤの映像を表示している場合、映像を−方向、すなわち始めの方向にスキップさせるよう指示する情報を、映像制御装置５７に送信する処理が実行される。
【０１３４】
すなわち、本実施形態では、Ｓ３３３ｄの処理が、Ｓ３３１からＳ３３２ｄの処理を経て実行されていることから、第２スイッチ１２が下方を示す操作コマンドの選択エリア１２ａに位置するときに押下されると、映像装置がＴＶの映像を表示している場合、チェンネルを−の方向に変えることができ、ＤＶＤの映像を表示している場合、映像を始めの方向にスキップさせることができる。
【０１３５】
そして、このＳ３３３ｄが実行されると、次にＳ３３４の処理が実行される。
Ｓ３３４では、Ｓ３１４と同様、この映像装置操作処理Ｓ３３０の終了を指示する操作がなされたか否かが判定される。
【０１３６】
このＳ３３４で、この映像装置操作処理Ｓ３３０の終了を指示する操作がなされた、すなわち第２スイッチ１２が境界線１２ｚ上で押下された、と判定された場合（Ｓ３３４：ＹＥＳ）、非同時処理Ｓ３０に戻り、この映像装置操作処理Ｓ３３０の終了を指示する操作がなされていないと判定された場合（Ｓ３３４：ＮＯ）、再びＳ３３１の処理を実行する。
３．７．シート操作処理
次に、シート操作処理について説明する。
【０１３７】
ここで図１０は、シート操作処理のフローチャートである。
シート操作処理Ｓ３４０が開始されると、まず、Ｓ３４１が実行される。
このＳ３４１では、Ｓ３１１と同様に、第２スイッチ１２が、いずれの選択エリア１２ａ〜１２ｄに移動したかが判定される。
【０１３８】
このＳ３４１の判定で、第２スイッチ１２が、上方を示す操作コマンドの選択エリア１２ｂに移動されていると判定されたら、Ｓ３４２ａを実行し、第２スイッチ１２が、下方を示す操作コマンドの選択エリア１２ｄに移動されていると判定されたら、Ｓ３４２ｂを実行する。
【０１３９】
また、このＳ３４１の判定で、第２スイッチ１２が、右方を示す操作コマンドの選択エリア１２ｃに移動されていると判定されたら、Ｓ３４２ｃを実行し、第２スイッチ１２が、左方を示す操作コマンドの選択エリア１２ａに移動されていると判定されたら、Ｓ３４２ｄを実行する。
【０１４０】
Ｓ３４２ａでは、Ｓ３１２ａと同様に、第２スイッチ１２が押下されたか判定される。
このＳ３４２ａで、第２スイッチ１２が押下されたと判定されたら（Ｓ３４２ａ：ＹＥＳ）、Ｓ３４３ａの処理が実行され、押下されていないと判定されたら（Ｓ３４２ａ：ＮＯ）、Ｓ３４４の処理が実行される。
【０１４１】
Ｓ３４３ａでは、シートの座位を上げる（座面の高さを上げる）よう指示する情報を、シート制御装置５０に送信する処理が実行される。
すなわち、本実施形態では、Ｓ３４３ａの処理が、Ｓ３４１からＳ３４２ａの処理を経て実行されていることから、第２スイッチ１２が上方を示す操作コマンドの選択エリア１２ｂに位置するときに押下されると、シートの座位を上げることができる。
【０１４２】
そして、このＳ３４３ａが実行されると、次にＳ３４４の処理が実行される。
Ｓ３４２ｂでも、Ｓ３１２ａと同様、第２スイッチ１２が押下されたか判定される。
このＳ３４２ａで、第２スイッチ１２が押下されたと判定されたら（Ｓ３４２ｂ：ＹＥＳ）、Ｓ３４３ｂの処理が実行され、押下されていないと判定されたら（Ｓ３４２ｂ：ＮＯ）、Ｓ３４４の処理が実行される。
【０１４３】
Ｓ３４３ｂでは、シートの座位を下げるよう指示する情報を、シート制御装置５０に送信する処理が実行される。
すなわち、本実施形態では、Ｓ３４３ｂの処理が、Ｓ３４１からＳ３４２ｂの処理を経て実行されていることから、第２スイッチ１２が下方を示す操作コマンドの選択エリア１２ｄに位置するときに押下されると、シートの座位を下げることができる。
【０１４４】
そして、このＳ３４３ｂが実行されると、次にＳ３４４の処理が実行される。
Ｓ３４２ｃでも、Ｓ３１２ａと同様、第２スイッチ１２が押下されたか判定される。
このＳ３４２ｃで、第２スイッチ１２が押下されたと判定されたら（Ｓ３４２ｃ：ＹＥＳ）、Ｓ３４３ｃの処理が実行され、押下されていないと判定されたら（Ｓ３４２ｃ：ＮＯ）、Ｓ３４４の処理が実行される。
【０１４５】
Ｓ３４３ｃでは、シートを前方（車両の進行方向前方）に移動させるよう指示する情報を、シート制御装置５０に送信する処理が実行される。
すなわち、本実施形態では、Ｓ３４３ｃ処理が、Ｓ３４１からＳ３４２ｃの処理を経て実行されていることから、第２スイッチ１２が右方を示す操作コマンドの選択エリア１２ｃに位置するときに押下されると、シートを前方に移動させることができる。
【０１４６】
そして、このＳ３４３ｃが実行されると、次にＳ３４４の処理が実行される。
Ｓ３４２ｄでも、Ｓ３１２ａと同様、第２スイッチ１２が押下されたか判定される。
このＳ３４２ｄで、第２スイッチ１２が押下されたと判定されたら（Ｓ３４２ｄ：ＹＥＳ）、Ｓ３４３ｄの処理が実行され、押下されていないと判定されたら（Ｓ３４２ｄ：ＮＯ）、Ｓ３４４の処理が実行される。
【０１４７】
Ｓ３４３ｄでは、シートを後方に移動させるよう指示する情報を、シート制御装置５０に送信する処理が実行される。
すなわち、本実施形態では、Ｓ３４３ｄの処理が、Ｓ３４１からＳ３４２ｄの処理を経て実行されていることから、第２スイッチ１２が下方を示す操作コマンドの選択エリア１２ａに位置するときに押下されると、シートを後方に移動させることができる。
【０１４８】
そして、このＳ３４３ｄが実行されると、次にＳ３４４の処理が実行される。
Ｓ３４４では、Ｓ３１４と同様、このシート操作処理Ｓ３４０の終了を指示する操作がなされたか否かが判定される。
【０１４９】
このＳ３４４で、このシート操作処理Ｓ３４０の終了を指示する操作がなされた、すなわち第２スイッチ１２が境界線１２ｚ上で押下された、と判定された場合（Ｓ３４４：ＹＥＳ）、非同時処理Ｓ３０に戻り、このシート操作処理Ｓ３４０の終了を指示する操作がなされていないと判定された場合（Ｓ３４４：ＮＯ）、再びＳ３４１の処理を実行する。
３．８．右ミラー操作処理
次に、右ミラー操作処理について説明する。
【０１５０】
ここで図１１は、右ミラー操作処理のフローチャートである。
右ミラー操作処理Ｓ３５０が開始されると、まず、Ｓ３５１が実行される。
このＳ３５１では、Ｓ３１１と同様に、第２スイッチ１２が、いずれの選択エリア１２ａ〜１２ｄに移動したかが判定される。
【０１５１】
このＳ３５１の判定で、第２スイッチ１２が、上方を示す操作コマンドの選択エリア１２ｂに移動されていると判定されたら、Ｓ３５２ａを実行し、第２スイッチ１２が、下方を示す操作コマンドの選択エリア１２ｄに移動されていると判定されたら、Ｓ３５２ｂを実行する。
【０１５２】
また、このＳ３５１の判定で、第２スイッチ１２が、右方を示す操作コマンドの選択エリア１２ｃに移動されていると判定されたら、Ｓ３５２ｃを実行し、第２スイッチ１２が、左方を示す操作コマンドの選択エリア１２ａに移動されていると判定されたら、Ｓ３５２ｄを実行する。
【０１５３】
Ｓ３５２ａでは、Ｓ３１２ａと同様に、第２スイッチ１２が押下されたか判定される。
このＳ３５２ａで、第２スイッチ１２が押下されたと判定されたら（Ｓ３５２ａ：ＹＥＳ）、Ｓ３５３ａの処理が実行され、押下されていないと判定されたら（Ｓ３５２ａ：ＮＯ）、Ｓ３５４の処理が実行される。
【０１５４】
Ｓ３５３ａでは、右ミラーを上方に傾けるよう指示する情報を、右ミラー制御装置５１に送信する処理が実行される。
すなわち、本実施形態では、Ｓ３５３ａの処理が、Ｓ３５１からＳ３５２ａの処理を経て実行されていることから、第２スイッチ１２が上方を示す操作コマンドの選択エリア１２ｂに位置するときに押下されると、右ミラーを下方に傾けることができる。
【０１５５】
そして、このＳ３５３ａが実行されると、次にＳ３５４の処理が実行される。
Ｓ３５２ｂでも、Ｓ３１２ａと同様、第２スイッチ１２が押下されたか判定される。
このＳ３５２ａで、第２スイッチ１２が押下されたと判定されたら（Ｓ３５２ｂ：ＹＥＳ）、Ｓ３５３ｂの処理が実行され、押下されていないと判定されたら（Ｓ３５２ｂ：ＮＯ）、Ｓ３５４の処理が実行される。
【０１５６】
Ｓ３５３ｂでは、右ミラーを下方に傾けるよう指示する情報を、右ミラー制御装置５１に送信する処理が実行される。
すなわち、本実施形態では、Ｓ３５３ｂの処理が、Ｓ３５１からＳ３５２ｂの処理を経て実行されていることから、第２スイッチ１２が下方を示す操作コマンドの選択エリア１２ｄに位置するときに押下されると、右ミラーを下方に傾けることができる。
【０１５７】
そして、このＳ３５３ｂが実行されると、次にＳ３５４の処理が実行される。
Ｓ３５２ｃでも、Ｓ３１２ａと同様、第２スイッチ１２が押下されたか判定される。
このＳ３５２ｃで、第２スイッチ１２が押下されたと判定されたら（Ｓ３５２ｃ：ＹＥＳ）、Ｓ３５３ｃの処理が実行され、押下されていないと判定されたら（Ｓ３５２ｃ：ＮＯ）、Ｓ３５４の処理が実行される。
【０１５８】
Ｓ３５３ｃでは、右ミラーを右方に傾けるよう指示する情報を、右ミラー制御装置５１に送信する処理が実行される。
すなわち、本実施形態では、Ｓ３５３ｃ処理が、Ｓ３５１からＳ３５２ｃの処理を経て実行されていることから、第２スイッチ１２が右方を示す操作コマンドの選択エリア１２ｃに位置するときに押下されると、右ミラーを右方に傾けることができる。
【０１５９】
そして、このＳ３５３ｃが実行されると、次にＳ３５４の処理が実行される。
Ｓ３５２ｄでも、Ｓ３１２ａと同様、第２スイッチ１２が押下されたか判定される。
このＳ３５２ｄで、第２スイッチ１２が押下されたと判定されたら（Ｓ３５２ｄ：ＹＥＳ）、Ｓ３５３ｄの処理が実行され、押下されていないと判定されたら（Ｓ３５２ｄ：ＮＯ）、Ｓ３５４の処理が実行される。
【０１６０】
Ｓ３５３ｄでは、右ミラーを左方に傾けるよう指示する情報を、右ミラー制御装置５１に送信する処理が実行される。
すなわち、本実施形態では、Ｓ３５３ｄの処理が、Ｓ３５１からＳ３５２ｄの処理を経て実行されていることから、第２スイッチ１２が下方を示す操作コマンドの選択エリア１２ａに位置するときに押下されると、右ミラーを左方に傾けることができる。
【０１６１】
そして、このＳ３５３ｄが実行されると、次にＳ３５４の処理が実行される。
Ｓ３５４では、Ｓ３１４と同様、この右ミラー操作処理Ｓ３５０の終了を指示する操作がなされたか否かが判定される。
【０１６２】
このＳ３５４で、この右ミラー操作処理Ｓ３５０の終了を指示する操作がなされた、すなわち第２スイッチ１２が境界線１２ｚ上で押下された、と判定された場合（Ｓ３５４：ＹＥＳ）、非同時処理Ｓ３０に戻り、この右ミラー操作処理Ｓ３５０の終了を指示する操作がなされていないと判定された場合（Ｓ３５４：ＮＯ）、再びＳ３５１の処理を実行する。
３．９．左ミラー操作処理
次に、左ミラー操作処理について説明する。
【０１６３】
ここで図１２は、左ミラー操作処理のフローチャートである。
左ミラー操作処理Ｓ３６０が開始されると、まず、Ｓ３６１が実行される。
このＳ３６１では、Ｓ３１１と同様に、第２スイッチ１２が、いずれの選択エリア１２ａ〜１２ｄに移動したかが判定される。
【０１６４】
このＳ３６１の判定で、第２スイッチ１２が、上方を示す操作コマンドの選択エリア１２ｂに移動されていると判定されたら、Ｓ３６２ａを実行し、第２スイッチ１２が、下方を示す操作コマンドの選択エリア１２ｄに移動されていると判定されたら、Ｓ３６２ｂを実行する。
【０１６５】
また、このＳ３６１の判定で、第２スイッチ１２が、右方を示す操作コマンドの選択エリア１２ｃに移動されていると判定されたら、Ｓ３６２ｃを実行し、第２スイッチ１２が、左方を示す操作コマンドの選択エリア１２ａに移動されていると判定されたら、Ｓ３６２ｄを実行する。
【０１６６】
Ｓ３６２ａでは、Ｓ３１２ａと同様に、第２スイッチ１２が押下されたか判定される。
このＳ３６２ａで、第２スイッチ１２が押下されたと判定されたら（Ｓ３６２ａ：ＹＥＳ）、Ｓ３６３ａの処理が実行され、押下されていないと判定されたら（Ｓ３６２ａ：ＮＯ）、Ｓ３６４の処理が実行される。
【０１６７】
Ｓ３６３ａでは、左ミラーを上方に傾けるよう指示する情報を、左ミラー制御装置５４に送信する処理が実行される。
すなわち、本実施形態では、Ｓ３６３ａの処理が、Ｓ３６１からＳ３６２ａの処理を経て実行されていることから、第２スイッチ１２が上方を示す操作コマンドの選択エリア１２ｂに位置するときに押下されると、左ミラーを下方に傾けることができる。
【０１６８】
そして、このＳ３６３ａが実行されると、次にＳ３６４の処理が実行される。
Ｓ３６２ｂでも、Ｓ３１２ａと同様、第２スイッチ１２が押下されたか判定される。
このＳ３６２ａで、第２スイッチ１２が押下されたと判定されたら（Ｓ３６２ｂ：ＹＥＳ）、Ｓ３６３ｂの処理が実行され、押下されていないと判定されたら（Ｓ３６２ｂ：ＮＯ）、Ｓ３６４の処理が実行される。
【０１６９】
Ｓ３６３ｂでは、左ミラーを下方に傾けるよう指示する情報を、左ミラー制御装置５４に送信する処理が実行される。
すなわち、本実施形態では、Ｓ３６３ｂの処理が、Ｓ３６１からＳ３６２ｂの処理を経て実行されていることから、第２スイッチ１２が下方を示す操作コマンドの選択エリア１２ｄに位置するときに押下されると、左ミラーを下方に傾けることができる。
【０１７０】
そして、このＳ３６３ｂが実行されると、次にＳ３６４の処理が実行される。
Ｓ３６２ｃでも、Ｓ３１２ａと同様、第２スイッチ１２が押下されたか判定される。
このＳ３６２ｃで、第２スイッチ１２が押下されたと判定されたら（Ｓ３６２ｃ：ＹＥＳ）、Ｓ３６３ｃの処理が実行され、押下されていないと判定されたら（Ｓ３６２ｃ：ＮＯ）、Ｓ３６４の処理が実行される。
【０１７１】
Ｓ３６３ｃでは、左ミラーを右方に傾けるよう指示する情報を、左ミラー制御装置５４に送信する処理が実行される。
すなわち、本実施形態では、Ｓ３６３ｃ処理が、Ｓ３６１からＳ３６２ｃの処理を経て実行されていることから、第２スイッチ１２が右方を示す操作コマンドの選択エリア１２ｃに位置するときに押下されると、左ミラーを右方に傾けることができる。
【０１７２】
そして、このＳ３６３ｃが実行されると、次にＳ３６４の処理が実行される。
Ｓ３６２ｄでも、Ｓ３１２ａと同様、第２スイッチ１２が押下されたか判定される。
このＳ３６２ｄで、第２スイッチ１２が押下されたと判定されたら（Ｓ３６２ｄ：ＹＥＳ）、Ｓ３６３ｄの処理が実行され、押下されていないと判定されたら（Ｓ３６２ｄ：ＮＯ）、Ｓ３６４の処理が実行される。
【０１７３】
Ｓ３６３ｄでは、左ミラーを左方に傾けるよう指示する情報を、左ミラー制御装置５４に送信する処理が実行される。
すなわち、本実施形態では、Ｓ３６３ｄの処理が、Ｓ３６１からＳ３６２ｄの処理を経て実行されていることから、第２スイッチ１２が下方を示す操作コマンドの選択エリア１２ａに位置するときに押下されると、左ミラーを左方に傾けることができる。
【０１７４】
そして、このＳ３６３ｄが実行されると、次にＳ３６４の処理が実行される。
Ｓ３６４では、Ｓ３１４と同様、この左ミラー操作処理Ｓ３６０の終了を指示する操作がなされたか否かが判定される。
【０１７５】
このＳ３６４で、この左ミラー操作処理Ｓ３６０の終了を指示する操作がなされた、すなわち第２スイッチ１２が境界線１２ｚ上で押下された、と判定された場合（Ｓ３６４：ＹＥＳ）、非同時処理Ｓ３０に戻り、この左ミラー操作処理Ｓ３６０の終了を指示する操作がなされていないと判定された場合（Ｓ３６４：ＮＯ）、再びＳ３６１の処理を実行する。
３．１０．電話操作処理
次に、電話操作処理について説明する。
【０１７６】
ここで図１３は、電話操作処理のフローチャートである。
電話操作処理Ｓ３７０が開始されると、まず、Ｓ３７１が実行される。
このＳ３７１では、Ｓ３１１と同様に、第２スイッチ１２が、いずれの選択エリア１２ａ〜１２ｄに移動したかが判定される。
【０１７７】
このＳ３７１の判定で、第２スイッチ１２が、上方を示す操作コマンドの選択エリア１２ｂに移動されていると判定されたら、Ｓ３７２ａを実行し、第２スイッチ１２が、下方を示す操作コマンドの選択エリア１２ｄに移動されていると判定されたら、Ｓ３７２ｂを実行する。
【０１７８】
また、このＳ３７１の判定で、第２スイッチ１２が、右方を示す操作コマンドの選択エリア１２ｃに移動されていると判定されたら、Ｓ３７２ｃを実行し、第２スイッチ１２が、左方を示す操作コマンドの選択エリア１２ａに移動されていると判定されたら、Ｓ３７２ｄを実行する。
【０１７９】
Ｓ３７２ａでは、Ｓ３１２ａと同様に、第２スイッチ１２が押下されたか判定される。
このＳ３７２ａで、第２スイッチ１２が押下されたと判定されたら（Ｓ３７２ａ：ＹＥＳ）、Ｓ３７３ａの処理が実行され、押下されていないと判定されたら（Ｓ３７２ａ：ＮＯ）、Ｓ３７４の処理が実行される。
【０１８０】
Ｓ３７３ａでは、電話の受話音量を上げるよう指示する情報を、電話制御装置５６に送信する処理が実行される。
すなわち、本実施形態では、Ｓ３７３ａの処理が、Ｓ３７１からＳ３７２ａの処理を経て実行されていることから、第２スイッチ１２が上方を示す操作コマンドの選択エリア１２ｂに位置するときに押下されると、電話の受話音量を上げることができる。
【０１８１】
そして、このＳ３７３ａが実行されると、次にＳ３７４の処理が実行される。
Ｓ３７２ｂでも、Ｓ３１２ａと同様、第２スイッチ１２が押下されたか判定される。
このＳ３７２ａで、第２スイッチ１２が押下されたと判定されたら（Ｓ３７２ｂ：ＹＥＳ）、Ｓ３７３ｂの処理が実行され、押下されていないと判定されたら（Ｓ３７２ｂ：ＮＯ）、Ｓ３７４の処理が実行される。
【０１８２】
Ｓ３７３ｂでは、電話の受話音量を下げるよう指示する情報を、電話制御装置５６に送信する処理が実行される。
すなわち、本実施形態では、Ｓ３７３ｂの処理が、Ｓ３７１からＳ３７２ｂの処理を経て実行されていることから、第２スイッチ１２が下方を示す操作コマンドの選択エリア１２ｄに位置するときに押下されると、電話の受話音量を下げることができる。
【０１８３】
そして、このＳ３７３ｂが実行されると、次にＳ３７４の処理が実行される。
Ｓ３７２ｃでも、Ｓ３１２ａと同様、第２スイッチ１２が押下されたか判定される。
このＳ３７２ｃで、第２スイッチ１２が押下されたと判定されたら（Ｓ３７２ｃ：ＹＥＳ）、Ｓ３７３ｃの処理が実行され、押下されていないと判定されたら（Ｓ３７２ｃ：ＮＯ）、Ｓ３７４の処理が実行される。
【０１８４】
Ｓ３７３ｃでは、電話に出るよう指示する情報を、電話制御装置５６に送信する処理が実行される。
すなわち、本実施形態では、Ｓ３７３ｃ処理が、Ｓ３７１からＳ３７２ｃの処理を経て実行されていることから、第２スイッチ１２が右方を示す操作コマンドの選択エリア１２ｃに位置するときに押下されると、電話に出ることができる。
【０１８５】
そして、このＳ３７３ｃが実行されると、次にＳ３７４の処理が実行される。
Ｓ３７２ｄでも、Ｓ３１２ａと同様、第２スイッチ１２が押下されたか判定される。
このＳ３７２ｄで、第２スイッチ１２が押下されたと判定されたら（Ｓ３７２ｄ：ＹＥＳ）、Ｓ３７３ｄの処理が実行され、押下されていないと判定されたら（Ｓ３７２ｄ：ＮＯ）、Ｓ３７４の処理が実行される。
【０１８６】
Ｓ３７３ｄでは、電話を切るよう指示する情報を、電話制御装置５６に送信する処理が実行される。
すなわち、本実施形態では、Ｓ３７３ｄの処理が、Ｓ３７１からＳ３７２ｄの処理を経て実行されていることから、第２スイッチ１２が下方を示す操作コマンドの選択エリア１２ａに位置するときに押下されると、電話を切ることができる。
【０１８７】
そして、このＳ３７３ｄが実行されると、次にＳ３７４の処理が実行される。
Ｓ３７４では、Ｓ３１４と同様、この電話操作処理Ｓ３７０の終了を指示する操作がなされたか否かが判定される。
【０１８８】
このＳ３７４で、この電話操作処理Ｓ３７０の終了を指示する操作がなされた、すなわち第２スイッチ１２が境界線１２ｚ上で押下された、と判定された場合（Ｓ３７４：ＹＥＳ）、非同時処理Ｓ３０に戻り、この電話操作処理Ｓ３７０の終了を指示する操作がなされていないと判定された場合（Ｓ３７４：ＮＯ）、再びＳ３７１の処理を実行する。
３．１１．第１車両機能操作処理
次に、第１車両機能操作処理について説明する。
【０１８９】
ここで図１４は、第１車両機能操作処理のフローチャートである。
第１車両機能操作処理Ｓ３８０が開始されると、まず、Ｓ３８１が実行される。
このＳ３８１では、Ｓ３１１と同様に、第２スイッチ１２が、いずれの選択エリア１２ａ〜１２ｄに移動したかが判定される。
【０１９０】
このＳ３８１の判定で、第２スイッチ１２が、上方を示す操作コマンドの選択エリア１２ｂに移動されていると判定されたら、Ｓ３８２ａを実行し、第２スイッチ１２が、下方を示す操作コマンドの選択エリア１２ｄに移動されていると判定されたら、Ｓ３８２ｂを実行する。
【０１９１】
また、このＳ３８１の判定で、第２スイッチ１２が、右方を示す操作コマンドの選択エリア１２ｃに移動されていると判定されたら、Ｓ３８２ｃを実行し、第２スイッチ１２が、左方を示す操作コマンドの選択エリア１２ａに移動されていると判定されたら、Ｓ３８２ｄを実行する。
【０１９２】
Ｓ３８２ａでは、Ｓ３１２ａと同様に、第２スイッチ１２が押下されたか判定される。
このＳ３８２ａで、第２スイッチ１２が押下されたと判定されたら（Ｓ３８２ａ：ＹＥＳ）、Ｓ３８３ａの処理が実行され、押下されていないと判定されたら（Ｓ３８２ａ：ＮＯ）、Ｓ３８４の処理が実行される。
【０１９３】
Ｓ３８３ａでは、第１車両機能について上方の操作コマンドに当てはめられた操作を行うよう指示する情報を、第１車両機能制御装置５３に送信する処理が実行される。
すなわち、本実施形態では、Ｓ３８３ａの処理が、Ｓ３８１からＳ３８２ａの処理を経て実行されていることから、第２スイッチ１２が上方を示す操作コマンドの選択エリア１２ｂに位置するときに押下されると、第１車両機能について上方の操作コマンドに当てはめられた操作を行うことができる。
【０１９４】
そして、このＳ３８３ａが実行されると、次にＳ３８４の処理が実行される。
Ｓ３８２ｂでも、Ｓ３１２ａと同様、第２スイッチ１２が押下されたか判定される。
このＳ３８２ａで、第２スイッチ１２が押下されたと判定されたら（Ｓ３８２ｂ：ＹＥＳ）、Ｓ３８３ｂの処理が実行され、押下されていないと判定されたら（Ｓ３８２ｂ：ＮＯ）、Ｓ３８４の処理が実行される。
【０１９５】
Ｓ３８３ｂでは、第１車両機能について下方の操作コマンドに当てはめられた操作を行う指示する情報を、第１車両機能制御装置５３に送信する処理が実行される。
すなわち、本実施形態では、Ｓ３８３ｂの処理が、Ｓ３８１からＳ３８２ｂの処理を経て実行されていることから、第２スイッチ１２が下方を示す操作コマンドの選択エリア１２ｄに位置するときに押下されると、第１車両機能について下方の操作コマンドに当てはめられた操作を行うことができる。
【０１９６】
そして、このＳ３８３ｂが実行されると、次にＳ３８４の処理が実行される。
Ｓ３８２ｃでも、Ｓ３１２ａと同様、第２スイッチ１２が押下されたか判定される。
このＳ３８２ｃで、第２スイッチ１２が押下されたと判定されたら（Ｓ３８２ｃ：ＹＥＳ）、Ｓ３８３ｃの処理が実行され、押下されていないと判定されたら（Ｓ３８２ｃ：ＮＯ）、Ｓ３８４の処理が実行される。
【０１９７】
Ｓ３８３ｃでは、第１車両機能について右方の操作コマンドに当てはめられた操作を行うよう指示する情報を、第１車両機能制御装置５３に送信する処理が実行される。
すなわち、本実施形態では、Ｓ３８３ｃ処理が、Ｓ３８１からＳ３８２ｃの処理を経て実行されていることから、第２スイッチ１２が右方を示す操作コマンドの選択エリア１２ｃに位置するときに押下されると、第１車両機能について右方の操作コマンドに当てはめられた操作を行うことができる。
【０１９８】
そして、このＳ３８３ｃが実行されると、次にＳ３８４の処理が実行される。
Ｓ３８２ｄでも、Ｓ３１２ａと同様、第２スイッチ１２が押下されたか判定される。
このＳ３８２ｄで、第２スイッチ１２が押下されたと判定されたら（Ｓ３８２ｄ：ＹＥＳ）、Ｓ３８３ｄの処理が実行され、押下されていないと判定されたら（Ｓ３８２ｄ：ＮＯ）、Ｓ３８４の処理が実行される。
【０１９９】
Ｓ３８３ｄでは、第１車両機能について左方の操作コマンドに当てはめられた操作を行うよう指示する情報を、第１車両機能制御装置５３に送信する処理が実行される。
すなわち、本実施形態では、Ｓ３８３ｄの処理が、Ｓ３８１からＳ３８２ｄの処理を経て実行されていることから、第２スイッチ１２が下方を示す操作コマンドの選択エリア１２ａに位置するときに押下されると、第１車両機能について左方の操作コマンドに当てはめられた操作を行うことができる。
【０２００】
そして、このＳ３８３ｄが実行されると、次にＳ３８４の処理が実行される。
Ｓ３８４では、Ｓ３１４と同様、この第１車両機能操作処理Ｓ３８０の終了を指示する操作がなされたか否かが判定される。
【０２０１】
このＳ３８４で、この第１車両機能操作処理Ｓ３８０の終了を指示する操作がなされた、すなわち第２スイッチ１２が境界線１２ｚ上で押下された、と判定された場合（Ｓ３８４：ＹＥＳ）、非同時処理Ｓ３０に戻り、この第１車両機能操作処理Ｓ３８０の終了を指示する操作がなされていないと判定された場合（Ｓ３８４：ＮＯ）、再びＳ３８１の処理を実行する。
３．１２．第２車両機能操作処理
次に、第２車両機能操作処理について説明する。
【０２０２】
ここで図１５は、第２車両機能操作処理のフローチャートである。
第２車両機能操作処理Ｓ３９０が開始されると、まず、Ｓ３９１が実行される。
このＳ３９１では、Ｓ３１１と同様に、第２スイッチ１２が、いずれの選択エリア１２ａ〜１２ｄに移動したかが判定される。
【０２０３】
このＳ３９１の判定で、第２スイッチ１２が、上方を示す操作コマンドの選択エリア１２ｂに移動されていると判定されたら、Ｓ３９２ａを実行し、第２スイッチ１２が、下方を示す操作コマンドの選択エリア１２ｄに移動されていると判定されたら、Ｓ３９２ｂを実行する。
【０２０４】
また、このＳ３９１の判定で、第２スイッチ１２が、右方を示す操作コマンドの選択エリア１２ｃに移動されていると判定されたら、Ｓ３９２ｃを実行し、第２スイッチ１２が、左方を示す操作コマンドの選択エリア１２ａに移動されていると判定されたら、Ｓ３９２ｄを実行する。
【０２０５】
Ｓ３９２ａでは、Ｓ３１２ａと同様に、第２スイッチ１２が押下されたか判定される。
このＳ３９２ａで、第２スイッチ１２が押下されたと判定されたら（Ｓ３９２ａ：ＹＥＳ）、Ｓ３９３ａの処理が実行され、押下されていないと判定されたら（Ｓ３９２ａ：ＮＯ）、Ｓ３９４の処理が実行される。
【０２０６】
Ｓ３９３ａでは、第２車両機能について上方の操作コマンドに当てはめられた操作を行うよう指示する情報を、第２車両機能制御装置５８に送信する処理が実行される。
すなわち、本実施形態では、Ｓ３９３ａの処理が、Ｓ３９１からＳ３９２ａの処理を経て実行されていることから、第２スイッチ１２が上方を示す操作コマンドの選択エリア１２ｂに位置するときに押下されると、第２車両機能について上方の操作コマンドに当てはめられた操作を行うことができる。
【０２０７】
そして、このＳ３９３ａが実行されると、次にＳ３９４の処理が実行される。
Ｓ３９２ｂでも、Ｓ３１２ａと同様、第２スイッチ１２が押下されたか判定される。
このＳ３９２ａで、第２スイッチ１２が押下されたと判定されたら（Ｓ３９２ｂ：ＹＥＳ）、Ｓ３９３ｂの処理が実行され、押下されていないと判定されたら（Ｓ３９２ｂ：ＮＯ）、Ｓ３９４の処理が実行される。
【０２０８】
Ｓ３９３ｂでは、第２車両機能について下方の操作コマンドに当てはめられた操作を行う指示する情報を、第２車両機能制御装置５８に送信する処理が実行される。
すなわち、本実施形態では、Ｓ３９３ｂの処理が、Ｓ３９１からＳ３９２ｂの処理を経て実行されていることから、第２スイッチ１２が下方を示す操作コマンドの選択エリア１２ｄに位置するときに押下されると、第２車両機能について下方の操作コマンドに当てはめられた操作を行うことができる。
【０２０９】
そして、このＳ３９３ｂが実行されると、次にＳ３９４の処理が実行される。
Ｓ３９２ｃでも、Ｓ３１２ａと同様、第２スイッチ１２が押下されたか判定される。
このＳ３９２ｃで、第２スイッチ１２が押下されたと判定されたら（Ｓ３９２ｃ：ＹＥＳ）、Ｓ３９３ｃの処理が実行され、押下されていないと判定されたら（Ｓ３９２ｃ：ＮＯ）、Ｓ３９４の処理が実行される。
【０２１０】
Ｓ３９３ｃでは、第２車両機能について右方の操作コマンドに当てはめられた操作を行うよう指示する情報を、第２車両機能制御装置５８に送信する処理が実行される。
すなわち、本実施形態では、Ｓ３９３ｃ処理が、Ｓ３９１からＳ３９２ｃの処理を経て実行されていることから、第２スイッチ１２が右方を示す操作コマンドの選択エリア１２ｃに位置するときに押下されると、第２車両機能について右方の操作コマンドに当てはめられた操作を行うことができる。
【０２１１】
そして、このＳ３９３ｃが実行されると、次にＳ３９４の処理が実行される。
Ｓ３９２ｄでも、Ｓ３１２ａと同様、第２スイッチ１２が押下されたか判定される。
このＳ３９２ｄで、第２スイッチ１２が押下されたと判定されたら（Ｓ３９２ｄ：ＹＥＳ）、Ｓ３９３ｄの処理が実行され、押下されていないと判定されたら（Ｓ３９２ｄ：ＮＯ）、Ｓ３９４の処理が実行される。
【０２１２】
Ｓ３９３ｄでは、第２車両機能について左方の操作コマンドに当てはめられた操作を行うよう指示する情報を、第２車両機能制御装置５８に送信する処理が実行される。
すなわち、本実施形態では、Ｓ３９３ｄの処理が、Ｓ３９１からＳ３９２ｄの処理を経て実行されていることから、第２スイッチ１２が下方を示す操作コマンドの選択エリア１２ａに位置するときに押下されると、第２車両機能について左方の操作コマンドに当てはめられた操作を行うことができる。
【０２１３】
そして、このＳ３９３ｄが実行されると、次にＳ３９４の処理が実行される。
Ｓ３９４では、Ｓ３１４と同様、この第２車両機能操作処理Ｓ３９０の終了を指示する操作がなされたか否かが判定される。
【０２１４】
このＳ３９４で、この第２車両機能操作処理Ｓ３９０の終了を指示する操作がなされた、すなわち第２スイッチ１２が境界線１２ｚ上で押下された、と判定された場合（Ｓ３９４：ＹＥＳ）、非同時処理Ｓ３０に戻り、この第２車両機能操作処理Ｓ３９０の終了を指示する操作がなされていないと判定された場合（Ｓ３９４：ＮＯ）、再びＳ３９１の処理を実行する。
４．１．エアコン・映像装置同時操作処理
次に、エアコン・映像装置同時操作処理について説明する。
【０２１５】
ここで図１６は、エアコン・映像装置同時操作処理のフローチャートである。
エアコン・映像装置同時操作処理Ｓ４１０が開始されると、まず、Ｓ４１１が実行される。
【０２１６】
このＳ４１１では、Ｓ３１１と同様に、第２スイッチ１２が、いずれの選択エリア１２ａ〜１２ｄに移動したかが判定される。
このＳ４１１の判定で、第２スイッチ１２が、上方を示す操作コマンドの選択エリア１２ｂに移動されていると判定されたら、Ｓ４１２ａを実行し、第２スイッチ１２が、下方を示す操作コマンドの選択エリア１２ｄに移動されていると判定されたら、Ｓ４１２ｂを実行する。
【０２１７】
また、このＳ４１１の判定で、第２スイッチ１２が、右方を示す操作コマンドの選択エリア１２ｃに移動されていると判定されたら、Ｓ４１２ｃを実行し、第２スイッチ１２が、左方を示す操作コマンドの選択エリア１２ａに移動されていると判定されたら、Ｓ４１２ｄを実行する。
【０２１８】
Ｓ４１２ａでは、Ｓ３１２ａと同様に、第２スイッチ１２が押下されたか判定される。
このＳ４１２ａで、第２スイッチ１２が押下されたと判定されたら（Ｓ４１２ａ：ＹＥＳ）、Ｓ４１３ａの処理が実行され、押下されていないと判定されたら（Ｓ４１２ａ：ＮＯ）、Ｓ４１４の処理が実行される。
【０２１９】
Ｓ４１３ａでは、エアコンの温度を上げるよう指示する情報を、エアコン制御装置５２に送信する処理が実行される。
すなわち、本実施形態では、Ｓ４１３ａの処理が、Ｓ４１１からＳ４１２ａの処理を経て実行されていることから、第２スイッチ１２が上方を示す操作コマンドの選択エリア１２ｂに位置するときに押下されると、エアコンの温度を上げることができる。
【０２２０】
そして、このＳ４１３ａが実行されると、次にＳ４１４の処理が実行される。
Ｓ４１２ｂでも、Ｓ３１２ａと同様、第２スイッチ１２が押下されたか判定される。
このＳ４１２ａで、第２スイッチ１２が押下されたと判定されたら（Ｓ４１２ｂ：ＹＥＳ）、Ｓ４１３ｂの処理が実行され、押下されていないと判定されたら（Ｓ４１２ｂ：ＮＯ）、Ｓ４１４の処理が実行される。
【０２２１】
Ｓ４１３ｂでは、エアコンの温度を下げるよう指示する情報を、エアコン制御装置５２に送信する処理が実行される。
すなわち、本実施形態では、Ｓ４１３ｂの処理が、Ｓ４１１からＳ４１２ｂの処理を経て実行されていることから、第２スイッチ１２が下方を示す操作コマンドの選択エリア１２ｄに位置するときに押下されると、エアコンの温度を下げることができる。
【０２２２】
そして、このＳ４１３ｂが実行されると、次にＳ４１４の処理が実行される。
Ｓ４１２ｃでも、Ｓ３１２ａと同様、第２スイッチ１２が押下されたか判定される。
このＳ４１２ｃで、第２スイッチ１２が押下されたと判定されたら（Ｓ４１２ｃ：ＹＥＳ）、Ｓ４１３ｃの処理が実行され、押下されていないと判定されたら（Ｓ４１２ｃ：ＮＯ）、Ｓ４１４の処理が実行される。
【０２２３】
Ｓ４１３ｃでは、エアコンの風量を上げるとともに映像装置の音量を上げるよう指示する情報を、エアコン制御装置５２及び映像制御装置５７に送信する処理が実行される。
すなわち、本実施形態では、Ｓ４１３ｃ処理が、Ｓ４１１からＳ４１２ｃの処理を経て実行されていることから、第２スイッチ１２が右方を示す操作コマンドの選択エリア１２ｃに位置するときに押下されると、エアコンの風量を上げることができ、しかも、エアコンの風量が上がったことで、風きり音が大きくなっても映像装置の音量も同時に上がるので、エアコンの風きり音が大きくなっても、映像装置からの音声が聞こえなくなることを防止することができる。
【０２２４】
そして、このＳ４１３ｃが実行されると、次にＳ４１４の処理が実行される。
Ｓ４１２ｄでも、Ｓ３１２ａと同様、第２スイッチ１２が押下されたか判定される。
このＳ４１２ｄで、第２スイッチ１２が押下されたと判定されたら（Ｓ４１２ｄ：ＹＥＳ）、Ｓ４１３ｄの処理が実行され、押下されていないと判定されたら（Ｓ４１２ｄ：ＮＯ）、Ｓ４１４の処理が実行される。
【０２２５】
Ｓ４１３ｄでは、エアコンの風量を下げるとともに映像装置の音量を下げるよう指示する情報を、エアコン制御装置５２及び映像制御装置５７に送信する処理が実行される。
すなわち、本実施形態では、Ｓ４１３ｄの処理が、Ｓ４１１からＳ４１２ｄの処理を経て実行されていることから、第２スイッチ１２が下方を示す操作コマンドの選択エリア１２ａに位置するときに押下されると、エアコンの風量を下げることができ、しかも、エアコンの風量が下がることで、風きり音が小さくなっても映像装置の音量も同時に下がるので、エアコンの風きり音が小さく静穏な環境になっても、映像装置からの大きな音声が聞こえて耳障りな状況になることを防止することができる。
【０２２６】
そして、このＳ４１３ｄが実行されると、次にＳ４１４の処理が実行される。
Ｓ４１４では、Ｓ３１４と同様、この第２車両機能操作処理Ｓ４１０の終了を指示する操作がなされたか否かが判定される。
【０２２７】
このＳ４１４で、この第２車両機能操作処理Ｓ４１０の終了を指示する操作がなされた、すなわち第２スイッチ１２が境界線１２ｚ上で押下された、と判定された場合（Ｓ４１４：ＹＥＳ）、非同時処理Ｓ３０に戻り、この第２車両機能操作処理Ｓ４１０の終了を指示する操作がなされていないと判定された場合（Ｓ４１４：ＮＯ）、再びＳ４１１の処理を実行する。
４．２．エアコン・電話同時操作処理
次に、エアコン・電話同時操作処理について説明する。
【０２２８】
ここで図１７は、エアコン・電話同時操作処理のフローチャートである。
エアコン・電話同時操作処理Ｓ４２０が開始されると、まず、Ｓ４２１が実行される。
このＳ４２１では、Ｓ３１１と同様に、第２スイッチ１２が、いずれの選択エリア１２ａ〜１２ｄに移動したかが判定される。
【０２２９】
このＳ４２１の判定で、第２スイッチ１２が、上方を示す操作コマンドの選択エリア１２ｂに移動されていると判定されたら、Ｓ４２２ａを実行し、第２スイッチ１２が、下方を示す操作コマンドの選択エリア１２ｄに移動されていると判定されたら、Ｓ４２２ｂを実行する。
【０２３０】
また、このＳ４２１の判定で、第２スイッチ１２が、右方を示す操作コマンドの選択エリア１２ｃに移動されていると判定されたら、Ｓ４２２ｃを実行し、第２スイッチ１２が、左方を示す操作コマンドの選択エリア１２ａに移動されていると判定されたら、Ｓ４２２ｄを実行する。
【０２３１】
Ｓ４２２ａでは、Ｓ３１２ａと同様に、第２スイッチ１２が押下されたか判定される。
このＳ４２２ａで、第２スイッチ１２が押下されたと判定されたら（Ｓ４２２ａ：ＹＥＳ）、Ｓ４２３ａの処理が実行され、押下されていないと判定されたら（Ｓ４２２ａ：ＮＯ）、Ｓ４２４の処理が実行される。
【０２３２】
Ｓ４２３ａでは、エアコンの温度を上げるよう指示する情報を、エアコン制御装置５２に送信する処理が実行される。
すなわち、本実施形態では、Ｓ４２３ａの処理が、Ｓ４２１からＳ４２２ａの処理を経て実行されていることから、第２スイッチ１２が上方を示す操作コマンドの選択エリア１２ｂに位置するときに押下されると、エアコンの温度を上げることができる。
【０２３３】
そして、このＳ４２３ａが実行されると、次にＳ４２４の処理が実行される。
Ｓ４２２ｂでも、Ｓ３１２ａと同様、第２スイッチ１２が押下されたか判定される。
このＳ４２２ａで、第２スイッチ１２が押下されたと判定されたら（Ｓ４２２ｂ：ＹＥＳ）、Ｓ４２３ｂの処理が実行され、押下されていないと判定されたら（Ｓ４２２ｂ：ＮＯ）、Ｓ４２４の処理が実行される。
【０２３４】
Ｓ４２３ｂでは、エアコンの温度を下げるよう指示する情報を、エアコン制御装置５２に送信する処理が実行される。
すなわち、本実施形態では、Ｓ４２３ｂの処理が、Ｓ４２１からＳ４２２ｂの処理を経て実行されていることから、第２スイッチ１２が下方を示す操作コマンドの選択エリア１２ｄに位置するときに押下されると、エアコンの温度を下げることができる。
【０２３５】
そして、このＳ４２３ｂが実行されると、次にＳ４２４の処理が実行される。
Ｓ４２２ｃでも、Ｓ３１２ａと同様、第２スイッチ１２が押下されたか判定される。
このＳ４２２ｃで、第２スイッチ１２が押下されたと判定されたら（Ｓ４２２ｃ：ＹＥＳ）、Ｓ４２３ｃの処理が実行され、押下されていないと判定されたら（Ｓ４２２ｃ：ＮＯ）、Ｓ４２４の処理が実行される。
【０２３６】
Ｓ４２３ｃでは、エアコンの風量を上げるとともに電話装置の音量を上げるよう指示する情報を、エアコン制御装置５２及び電話制御装置５６に送信する処理が実行される。
すなわち、本実施形態では、Ｓ４２３ｃ処理が、Ｓ４２１からＳ４２２ｃの処理を経て実行されていることから、第２スイッチ１２が右方を示す操作コマンドの選択エリア１２ｃに位置するときに押下されると、エアコンの風量を上げることができ、しかも、エアコンの風量が上がったことで、風きり音が大きくなっても電話の音量も同時に上がるので、エアコンの風きり音が大きくなっても、電話からの音声が聞こえなくなることを防止することができる。
【０２３７】
そして、このＳ４２３ｃが実行されると、次にＳ４２４の処理が実行される。
Ｓ４２２ｄでも、Ｓ３１２ａと同様、第２スイッチ１２が押下されたか判定される。
このＳ４２２ｄで、第２スイッチ１２が押下されたと判定されたら（Ｓ４２２ｄ：ＹＥＳ）、Ｓ４２３ｄの処理が実行され、押下されていないと判定されたら（Ｓ４２２ｄ：ＮＯ）、Ｓ４２４の処理が実行される。
【０２３８】
Ｓ４２３ｄでは、エアコンの風量を下げるとともに電話装置の音量を下げるよう指示する情報を、エアコン制御装置５２及び電話制御装置５６に送信する処理が実行される。
すなわち、本実施形態では、Ｓ４２３ｄの処理が、Ｓ４２１からＳ４２２ｄの処理を経て実行されていることから、第２スイッチ１２が下方を示す操作コマンドの選択エリア１２ａに位置するときに押下されると、エアコンの風量を下げることができ、しかも、エアコンの風量が下がることで、風きり音が小さくなっても電話の音量も同時に下がるので、エアコンの風きり音が小さく静穏な環境になっても、電話からの大きな音声が聞こえて耳障りな状況になることを防止することができる。
【０２３９】
そして、このＳ４２３ｄが実行されると、次にＳ４２４の処理が実行される。
Ｓ４２４では、Ｓ３１４と同様、この第２車両機能操作処理Ｓ４２０の終了を指示する操作がなされたか否かが判定される。
【０２４０】
このＳ４２４で、この第２車両機能操作処理Ｓ４２０の終了を指示する操作がなされた、すなわち第２スイッチ１２が境界線１２ｚ上で押下された、と判定された場合（Ｓ４２４：ＹＥＳ）、非同時処理Ｓ３０に戻り、この第２車両機能操作処理Ｓ４２０の終了を指示する操作がなされていないと判定された場合（Ｓ４２４：ＮＯ）、再びＳ４２１の処理を実行する。
４．３．エアコン・オーディオ同時操作処理
次に、エアコン・オーディオ同時操作処理について説明する。
【０２４１】
ここで図１８は、エアコン・オーディオ同時操作処理のフローチャートである。
エアコン・オーディオ同時操作処理Ｓ４３０が開始されると、まず、Ｓ４３１が実行される。
【０２４２】
このＳ４３１では、Ｓ３１１と同様に、第２スイッチ１２が、いずれの選択エリア１２ａ〜１２ｄに移動したかが判定される。
このＳ４３１の判定で、第２スイッチ１２が、上方を示す操作コマンドの選択エリア１２ｂに移動されていると判定されたら、Ｓ４３２ａを実行し、第２スイッチ１２が、下方を示す操作コマンドの選択エリア１２ｄに移動されていると判定されたら、Ｓ４３２ｂを実行する。
【０２４３】
また、このＳ４３１の判定で、第２スイッチ１２が、右方を示す操作コマンドの選択エリア１２ｃに移動されていると判定されたら、Ｓ４３２ｃを実行し、第２スイッチ１２が、左方を示す操作コマンドの選択エリア１２ａに移動されていると判定されたら、Ｓ４３２ｄを実行する。
【０２４４】
Ｓ４３２ａでは、Ｓ３１２ａと同様に、第２スイッチ１２が押下されたか判定される。
このＳ４３２ａで、第２スイッチ１２が押下されたと判定されたら（Ｓ４３２ａ：ＹＥＳ）、Ｓ４３３ａの処理が実行され、押下されていないと判定されたら（Ｓ４３２ａ：ＮＯ）、Ｓ４３４の処理が実行される。
【０２４５】
Ｓ４３３ａでは、エアコンの温度を上げるよう指示する情報を、エアコン制御装置５２に送信する処理が実行される。
すなわち、本実施形態では、Ｓ４３３ａの処理が、Ｓ４３１からＳ４３２ａの処理を経て実行されていることから、第２スイッチ１２が上方を示す操作コマンドの選択エリア１２ｂに位置するときに押下されると、エアコンの温度を上げることができる。
【０２４６】
そして、このＳ４３３ａが実行されると、次にＳ４３４の処理が実行される。
Ｓ４３２ｂでも、Ｓ３１２ａと同様、第２スイッチ１２が押下されたか判定される。
このＳ４３２ａで、第２スイッチ１２が押下されたと判定されたら（Ｓ４３２ｂ：ＹＥＳ）、Ｓ４３３ｂの処理が実行され、押下されていないと判定されたら（Ｓ４３２ｂ：ＮＯ）、Ｓ４３４の処理が実行される。
【０２４７】
Ｓ４３３ｂでは、エアコンの温度を下げるよう指示する情報を、エアコン制御装置５２に送信する処理が実行される。
すなわち、本実施形態では、Ｓ４３３ｂの処理が、Ｓ４３１からＳ４３２ｂの処理を経て実行されていることから、第２スイッチ１２が下方を示す操作コマンドの選択エリア１２ｄに位置するときに押下されると、エアコンの温度を下げることができる。
【０２４８】
そして、このＳ４３３ｂが実行されると、次にＳ４３４の処理が実行される。
Ｓ４３２ｃでも、Ｓ３１２ａと同様、第２スイッチ１２が押下されたか判定される。
このＳ４３２ｃで、第２スイッチ１２が押下されたと判定されたら（Ｓ４３２ｃ：ＹＥＳ）、Ｓ４３３ｃの処理が実行され、押下されていないと判定されたら（Ｓ４３２ｃ：ＮＯ）、Ｓ４３４の処理が実行される。
【０２４９】
Ｓ４３３ｃでは、エアコンの風量を上げるとともにオーディオ装置の音量を上げるよう指示する情報を、エアコン制御装置５２及びオーディオ制御装置５５に送信する処理が実行される。
【０２５０】
すなわち、本実施形態では、Ｓ４３３ｃ処理が、Ｓ４３１からＳ４３２ｃの処理を経て実行されていることから、第２スイッチ１２が右方を示す操作コマンドの選択エリア１２ｃに位置するときに押下されると、エアコンの風量を上げることができ、しかも、エアコンの風量が上がったことで、風きり音が大きくなってもオーディオの音量も同時に上がるので、エアコンの風きり音が大きくなっても、オーディオからの音声が聞こえなくなることを防止することができる。
【０２５１】
そして、このＳ４３３ｃが実行されると、次にＳ４３４の処理が実行される。
Ｓ４３２ｄでも、Ｓ３１２ａと同様、第２スイッチ１２が押下されたか判定される。
このＳ４３２ｄで、第２スイッチ１２が押下されたと判定されたら（Ｓ４３２ｄ：ＹＥＳ）、Ｓ４３３ｄの処理が実行され、押下されていないと判定されたら（Ｓ４３２ｄ：ＮＯ）、Ｓ４３４の処理が実行される。
【０２５２】
Ｓ４３３ｄでは、エアコンの風量を下げるとともにオーディオ装置の音量を下げるよう指示する情報を、エアコン制御装置５２及びオーディオ制御装置５５に送信する処理が実行される。
【０２５３】
すなわち、本実施形態では、Ｓ４３３ｄの処理が、Ｓ４３１からＳ４３２ｄの処理を経て実行されていることから、第２スイッチ１２が下方を示す操作コマンドの選択エリア１２ａに位置するときに押下されると、エアコンの風量を下げることができ、しかも、エアコンの風量が下がることで、風きり音が小さくなってもオーディオの音量も同時に下がるので、エアコンの風きり音が小さく静穏な環境になっても、オーディオからの大きな音声が聞こえて耳障りな状況になることを防止することができる。
【０２５４】
そして、このＳ４３３ｄが実行されると、次にＳ４３４の処理が実行される。
Ｓ４３４では、Ｓ３１４と同様、この第２車両機能操作処理Ｓ４３０の終了を指示する操作がなされたか否かが判定される。
【０２５５】
このＳ４３４で、この第２車両機能操作処理Ｓ４３０の終了を指示する操作がなされた、すなわち第２スイッチ１２が境界線１２ｚ上で押下された、と判定された場合（Ｓ４３４：ＹＥＳ）、非同時処理Ｓ３０に戻り、この第２車両機能操作処理Ｓ４３０の終了を指示する操作がなされていないと判定された場合（Ｓ４３４：ＮＯ）、再びＳ４３１の処理を実行する。
５．１．熟練度判定処理
次に熟練度判定処理について説明する。
【０２５６】
ここで図１９は、熟練度判定処理のフローチャートである。
この熟練度判定処理３−２は、図１９に示すように、第１スイッチ１１が操作されて傾けられ、ある選択エリア１１ａ〜１１ｉから他の選択エリア１１ａ〜１１ｉに移動したか否かが判定される（Ｓ５０）。この判定は、傾斜位置検出センサ１１１から入力される第１スイッチ１１の傾斜位置に関する情報と、選択エリア位置記憶領域３１に記憶された選択エリア１１ａ〜１１ｉの位置に関する情報とを照らし合わせることで判定することができる。
【０２５７】
このＳ５０で、第１スイッチ１１が、ある選択エリア１１ａ〜１１ｉから他の選択エリア１１ａ〜１１ｉに移動したと判定されたら（Ｓ５０：ＹＥＳ）、Ｓ５１の処理が実行され、移動していないと判定されたら（Ｓ５０：ＮＯ）、待機される。
【０２５８】
Ｓ５１では、Ｓ５０の判定の後５秒以内に、第１スイッチ１１が押下されたか否か、すなわち、機能の選択が行われたか否か、あるいは、Ｓ５０の判定の後、５秒以内に第１スイッチ１１がさらに操作されて他の方向に傾けられ、他の選択エリア１１ａ〜１１ｉからさらに他の選択エリア１１ａ〜１１ｉに移動したか否か、すなわち、操作ミスがあったか否かが判定される。
【０２５９】
この判定は、押下センサ１１０から第１スイッチ１１が押下されたことを示す信号が入力されたか否かと、傾斜位置検出センサ１１１から入力される第１スイッチ１１の傾斜位置に関する情報と、選択エリア位置記憶領域３１に記憶された選択エリア１１ａ〜１１ｉの位置に関する情報とを照らし合わせることで判定することができる。
【０２６０】
このＳ５１で、第１スイッチ１１が、Ｓ５０の判定の後、５秒以内に押下されたと判定されたら（Ｓ５１：押下）、Ｓ５２の処理が実行され、Ｓ５０の判定の後、５秒以内に、第１スイッチ１１が他の選択エリア１１ａ〜１１ｉからさらに他の選択エリア１１ａ〜１１ｉに移動したと判定されたら（Ｓ５１：再移動）、Ｓ５３の処理が実行される。また、このＳ５１で、第１スイッチ１１が押下も再移動もされなかった場合は、Ｓ５０の処理が実行される。
【０２６１】
Ｓ５２では、操作ミスなく第１スイッチ１１が操作されたので、操作ミスなく操作されたことを示す成功ログが、操作ログ記憶領域３３に記憶される。そして、この記憶がおこなわれた後、Ｓ５５の処理が実行される。
【０２６２】
Ｓ５３では、第１スイッチ１１がＳ５１の判定後５秒以内に第１スイッチ１１が押下されたか否か、すなわち、機能の選択が行われたか否かが判定される。
このＳ５３で、第１スイッチ１１が押下されたと判定されたら（Ｓ５３：ＹＥＳ）、Ｓ５４の処理が実行され、第１スイッチ１１が再移動後５秒間の間に押下されていないと判定されたら（Ｓ５３：ＮＯ）、Ｓ５０の処理が実行される。
【０２６３】
Ｓ５４では、操作ミスあったので、操作ミスがあったことを示す失敗ログが、操作ログ記憶領域３３に記憶される。そして、この記憶がおこなわれた後、Ｓ５５の処理が実行される。
【０２６４】
Ｓ５５では、操作があったことをカウントするため、操作ログ記憶領域３３に記憶されている操作回数を示す情報について、操作回数のカウント値を１つ上げたものに更新する処理がなされる。そして、このＳ５５が終了すると、Ｓ５６の処理が実行される。
【０２６５】
Ｓ５６では、Ｓ５５で更新した、操作回数のカウント値が１００回を超えているか否かが判定される。
このＳ５６で、操作回数が１００回を超えていなかった場合は（Ｓ５６：ＮＯ）、Ｓ５９が実行され、操作回数が１００回を超えていた場合は（Ｓ５６：ＹＥＳ）、Ｓ５７が実行される。
【０２６６】
Ｓ５７では、Ｓ５２やＳ５４で操作ログ記憶領域３３に記憶した成功ログや失敗ログから、操作ミスなく操作される確率が８０％を超えているか否かが判定される。
このＳ５７で、操作ミスなく操作される確率が８０％を超えていなかった場合は（Ｓ５７：ＮＯ）、Ｓ５９が実行され、確率が８０％を超えていた場合は（Ｓ５７：ＹＥＳ）、５８が実行される。
【０２６７】
Ｓ５８では、熟練度記憶領域３４に、熟練度が高いことを示す情報を記憶する処理が実行され、Ｓ５９では、熟練度が低いことを示す情報を記憶する処理が実行される。
そして、これらＳ５８及びＳ５９が終了すると、再びＳ５０が実行される。
５．２．操作規制処理
次に操作規制処理について説明する。
【０２６８】
ここで図２０は、操作規制処理のフローチャートである。
この操作規制処理３−３は、図２０に示すように、まず、車両の走行状態が良いか否かを判定する（Ｓ６０）。
【０２６９】
本実施形態では、センサ群４０から、停車中、バック中、ワイパー高速運転中であることを示す情報が入力されるので、このＳ６０では、これらの情報が入力されていないか否かが判定される。
【０２７０】
このような判定を行っている理由は、停車中、バック中、ワイパー高速運転中に、第１スイッチ１１や第２スイッチ１２を操作すると危険だからである。
このＳ６０の判定で、車両の走行状態が悪いと判定された場合（Ｓ６０：ＮＯ）、すなわち、停車中、バック中、ワイパー高速運転中であることを示す情報が入力されている場合は、Ｓ６５の処理が実施され、車両の走行状態が良いと判定された場合は（Ｓ６０：ＹＥＳ）、Ｓ６１の処理が実施される。
【０２７１】
Ｓ６１では、交通環境が良いか否かが判定される。具体的には、本実施形態では、ナビゲーション装置４１から、車両が現在走行している道路が、見通しの悪い道である場合、カーブが連続している場合、急カーブである場合、事故多発地帯である場合、これらのことを示す情報が入力されるので、これらの情報が入力されていないか否かが判定される。
【０２７２】
このＳ６１の判定で、交通環境が悪いと判定された場合（Ｓ６１：ＮＯ）、すなわち、車両が現在走行している道路が、見通しの悪い道である場合、カーブが連続している場合、急カーブである場合、事故多発地帯である場合は、Ｓ６５の処理が実施され、車両の走行状態が良いと判定された場合は（Ｓ６１：ＹＥＳ）、Ｓ６２の処理が実施される。
【０２７３】
Ｓ６２では、天候が良いか否かが判定される。具体的には、本実施形態では、センサ群４０から、車両の周りで霧が出たり、雪が降っていたり、道路が凍結している場合、これらを示す情報が入力されるので、これらの情報が入力されていなか否かが判定される。
【０２７４】
このＳ６２の判定で、天気が悪いと判定された場合（Ｓ６２：ＮＯ）、すなわち、車両の周りで霧が出たり、雪が降っていたり、道路が凍結している場合は、Ｓ６５の処理が実施され、天気が良いと判定された場合は（Ｓ６２：ＹＥＳ）、Ｓ６３の処理が実施される。
【０２７５】
Ｓ６３では、通いなれた道であるか否かが判定される。具体的には、本実施形態では、ナビゲーション装置４１から、車両が現在走行している道路が、１０回以上走行した道であることを示す情報が入力されるので、この情報が入力されていないか否かが判定される。
【０２７６】
このＳ６３の判定で、通いなれた道でないと判定された場合（Ｓ６３：ＮＯ）、すなわち、車両が現在走行している道路が、１０回以上走行した道でないと判定された場合、Ｓ６５の処理が実施され、通いなれた道であると判定された場合は（Ｓ６３：ＹＥＳ）、Ｓ６４の処理が実施される。
【０２７７】
Ｓ６５では、位置変更器１１２，１２２を用いて、第１スイッチ１１及び第２スイッチ１２を操作規制状態（図１（ｄ）参照）にする制御が実行され、一方、Ｓ６４では、Ｓ６５により操作規制状態にされていた第１スイッチ１１及び第２スイッチを、通常状態にする制御が実行される。
【０２７８】
すなわち、この操作規制処理により、操作規制状態にされているときは、本実施形態では、第１スイッチ１１及び第２スイッチ１２を操作することができないので、本実施形態では、車両の安全が確保されていないうちは、これらスイッチ１１，１２の操作ができないようにされている。
６．実施形態に係る操作装置の特徴
本実施形態の操作装置では、１つの第１スイッチ１１を用い、このスイッチ１１が操作されて傾けられて、操作前の選択エリア１１ａ〜１１ｉとは異なる他の選択エリア１１ａ〜１１ｉに移動するとき、第１スイッチ１１を介して指に反力が伝えられる（Ｓ１２、Ｓ１４）ので、操作者は、選択エリア１１ａ〜１１ｉが移るごとに、反力を感じる。
【０２７９】
そのため、操作者は、この反力を頼りに、ステアリング１上に目を落とさなくても、所望の処理の実行を指示するための選択エリア１１ａ〜１１ｉに、第１スイッチ１１を傾けることができる。
【０２８０】
そして、このように所望の選択エリア１１ａ〜１１ｉに第１スイッチ１１が傾けられると、その選択エリア１１ａ〜１１ｉに対応する処理の実行が指示される（Ｓ３１，Ｓ４３）。
【０２８１】
従って、この操作装置を用いると、操作者は、１つの第１スイッチ１１で、複数ある処理のうち、１つの処理の実行を指示することができるので、操作者が所望する処理の実行を指示する操作を、ステアリング１上に目を落とさなくても操作することができる。
【０２８２】
また本実施形態では、第１スイッチ１１が押下されると、各種処理の実行が指示されるので、押下スイッチを操作する感覚で、選択エリア１１ａ〜１１ｉに対応する処理の実行を指示できる。
【０２８３】
また、本実施形態では、第１スイッチ１１が押下された状態で、境界線１１ｚを交差して移動した場合、特定の組合せに限られるが、第１スイッチ１１が移動の前後に位置した選択エリア１１ａ〜１１ｉに対応する２つの処理を同時に実行することができる。
【０２８４】
また、本実施形態では、操作の熟練度が低いと判定された場合（Ｓ１９：ＮＯ）、同時処理を行うことができないように制限されているので、操作に慣れないうちに、運転中に操作装置を操作することによって生じる危険性を回避することができる。
【０２８５】
また、本実施形態では、車両の走行条件（悪天候、慣れない土地における運転等）が悪い場合に（Ｓ６０〜Ｓ６４：ＮＯ）、第１スイッチ１１の操作を規制しているので、走行条件が悪い場合に操作装置を操作させる危険を防止することができる。
７．実施形態と発明特定事項との対応関係
本実施形態の第１スイッチ１１が、本発明のスイッチに相当する。
【０２８６】
本実施形態の傾斜位置検出センサ１１１が、本発明の位置検出手段に相当する。
本実施形態の選択エリア位置記憶領域３１と境界線位置記憶領域３２が、本発明の記憶手段に相当する。
【０２８７】
本実施形態のＳ１２，Ｓ１４を実施するコンピュータ３と、位置変更器１１２が、本発明の反力伝達手段に相当する。
本実施形態のＳ３１，Ｓ４３を実行するコンピュータ３が、本発明の指示手段に相当する。
【０２８８】
本実施形態の押下センサ１１０が、本発明の押下検出手段に相当する。
本実施形態のＳ１７，Ｓ１８を実行するコンピュータ３が、本発明の判定手段に相当する。
【０２８９】
本実施形態の熟練度判定処理３−２を実行するコンピュータ３が、本発明の熟練度判定手段に相当する。
本実施形態のＳ１９で否定判定するコンピュータ３が、本発明の制限手段に相当する。
【０２９０】
本実施形態のＳ５５を実行するコンピュータ３が、本発明の計数手段に相当する。
本実施形態のＳ５７を実行するコンピュータ３が、本発明の通過確率判定手段に相当する。
【０２９１】
本実施形態のセンサ群４０、ナビゲーション装置４１が、本発明の検出手段に相当する。
本実施形態のＳ６０〜Ｓ６３を実行するコンピュータ３が、本発明の条件判定手段に相当する。
【０２９２】
本実施形態のＳ６５を実行するコンピュータ３と、位置変更器１１２が、本発明の規制手段に相当する。
本実施形態の第１スイッチ１１が、本発明の第１操作装置に相当し、第２スイッチ１２が、本発明の第２操作装置に相当する。
（その他の実施形態）
尚、本実施形態において、第１スイッチ１１で選択している選択エリア１１ａ〜１１ｉに対応する車両機能の種類を音声で報知するよう構成してもよい。
【０２９３】
具体的には、第１スイッチ１１の傾斜位置と、各選択エリアの１１ａ〜１１ｉの位置とが一致する場合、選択エリア１１ａ〜１１ｉに対応する車両機能、例えば、電話であれば、電話であることを音声で報知するよう構成してもよい。このような音声報知の制御を行うコンピュータ３が本発明の報知手段に相当する。
【０２９４】
また、このように車両機能の種類を音声で報知するよう構成した場合、熟練度が、予め定められた熟練度よりも高い場合、この音声での報知を停止するよう構成してもよい。このような制御を行うコンピュータ３が本発明の報知停止手段に相当する。
【０２９５】
このようにすると、操作に慣れないうちは音声による案内が流れるが、操作になれて音声による案内が耳障りになったとき音声が消えるので、熟練度に応じて、快適に操作装置を操作することができる。
【０２９６】
また、本発明は、特許請求の範囲に記載された発明の趣旨に合致するものであればよく、上述の実施形態に限定されるものではない。
【図面の簡単な説明】
【０２９７】
【図１】本実施形態の操作装置を構成するスイッチの説明図で、（ａ）は、このスイッチが取り付けられたステアリングと、各スイッチで機能や操作コマンドを選択するための選択エリアについて説明するための模式図であり、（ｂ）は、各スイッチが操作されて傾斜する様子を示した模式図であり、（ｃ）は、選択エリア上で、スイッチの操作により機能が選択される様子を説明するため示した模式図であり、（ｄ）は、各スイッチが、通常、押下、操作規制の各状態のときの様子を説明するための模式図である。
【図２】本実施形態の操作装置の内部構成を示すブロック図である。
【図３】操作処理のフローチャートである。
【図４】第１スイッチ１１を操作して選択エリア１１ａ〜１１ｉをなぞって選択する様子を説明するための、選択エリア１１ａ〜１１ｉの模式図である。
【図５】同時処理のフローチャートである。
【図６】非同時処理のフローチャートである。
【図７】エアコン操作処理のフローチャートである。
【図８】オーディオ操作処理のフローチャートである。
【図９】映像操作処理のフローチャートである。
【図１０】シート操作処理のフローチャートである。
【図１１】右ミラー操作処理のフローチャートである。
【図１２】左ミラー操作処理のフローチャートである。
【図１３】電話操作処理のフローチャートである。
【図１４】第１車両機能操作処理のフローチャートである。
【図１５】第２車両機能操作処理のフローチャートである。
【図１６】エアコン・映像同時操作処理のフローチャートである。
【図１７】エアコン・電話同時操作処理のフローチャートである。
【図１８】エアコン・オーディオ同時操作処理のフローチャートである。
【図１９】熟練度判定処理のフローチャートである。
【図２０】操作規制処理のフローチャートである。
【符号の説明】
【０２９８】
１…ステアリング、３…コンピュータ、
１１…第１スイッチ、１１ａ〜１１ｉ…選択エリア、１１ｚ…境界線
１２…第２スイッチ、１２ａ〜１２ｄ…選択エリア、１２ｚ…境界線
３０…記憶装置、
３１…選択エリア位置記憶領域、３２…境界線位置記憶領域、
３３…操作ログ記憶領域、３４…熟練度記憶領域、
４０…センサ群、４１…ナビゲーション装置、４２…音声出力装置、
５０…シート制御装置、５１…右ミラー制御装置、
５２…エアコン制御装置、５３…第１車両機能制御装置、
５４…左ミラー制御装置、５５…オーディオ制御装置、
５６…電話制御装置、５７…映像制御装置、
５８…第２車両機能制御装置、
１１０…押下センサ、１１１…傾斜位置検出センサ、１１２…位置変更器、
１２０…押下センサ、１２１…傾斜位置検出センサ、１２２…位置変更器
【図２】
2009078718.tif 000003
【図３】
2009078718.tif 000004
【図４】
2009078718.tif 000005
【図５】
2009078718.tif 000006
【図６】
2009078718.tif 000007
【図７】
2009078718.tif 000008
【図８】
2009078718.tif 000009
【図９】
2009078718.tif 000010
【図１０】
2009078718.tif 000011
【図１１】
2009078718.tif 000012
【図１２】
2009078718.tif 000013
【図１３】
2009078718.tif 000014
【図１４】
2009078718.tif 000015
【図１５】
2009078718.tif 000016
【図１６】
2009078718.tif 000017
【図１７】
2009078718.tif 000018
【図１８】
2009078718.tif 000019
【図１９】
2009078718.tif 000020
【図２０】
2009078718.tif 000021
【図１】
2009078718.tif 000022